(57)【特許請求の範囲】
【請求項１】
各種電機に使われる通電巻線（１００）によって励磁されるヨーク（１０１）と連結する磁路（１０２）との間に永久磁石（１０３）を覆い、個別ヨーク（１０１）の通電巻線（１００）の電機の永久磁石（１０３）の極性は同極性の励磁効果或いは異極性の減磁効果を含むことを特徴とし、
ヨークで電機の永久磁石（１０３）を覆う方式は、永久磁石（１０３）と通電巻線（１００）のヨーク（１０１）と磁路（１０２）を結合させ、永久磁石（１０３）が磁路（１０２）側のヨーク（１０１）の極面に強磁場を形成させ、永久磁石（１０３）が逆方向へ励磁されるとき、永久磁石（１０３）の磁力線が持続維持されるよう構成されていることを特徴とするヨークによって永久磁石を覆う電機。
【請求項２】
個別磁極に通電巻線（１００）のヨーク（１０１）を設置し、磁路（１０２）と共同して永久磁石（１０３）を覆うことによって、磁極を構成し、磁路（１０２）或いはヨーク（１０１）はシリコン鋼片または鋼或いは鉄等のよく使われる良好な磁気伝導性材料を使用し、一体構成或いは複数材料が重なり合って構成され、或いは、磁気伝導性材料の粉末冶金より構成されるものであって、ヨーク（１０１）の極面は電磁効果をインタラクトする別の電機構造体と向かい合い、ヨーク（１０１）の極面は凹凸弧面形或いは平面形を選択し、また、溝、凹凸或いは特定の幾何形状を持つ極面を有することを特徴とする請求項１記載のヨークによって永久磁石を覆う電機。
【請求項３】
電機の内層構造及び電機の外層構造を持つシリンダー電機であり、電機の内層構造（１１）及び電機の外層構造（１２）より構成されるものを含み、
１．電機の外層構造（１２）は電機の内層構造（１１）と電磁カップリングを行う面を有し、或いは、
２．電機の内層構造（１１）は電機の外層構造（１２）と電磁カップリングを行う面を有し、
上記１項又は２項の面に通電巻線（１００）に励磁される個別のヨーク（１０１）が設置され、永久磁石（１０３）が個別のヨーク（１０１）の中、或いは、個別のヨーク（１０１）と磁路（１０２）との間に設けられており、更にヨーク（１０１）と磁路（１０２）との間に永久磁石（１０３）が設けられているシリンダー電機であることを特徴とする請求項１記載のヨークによって永久磁石を覆う電機。
【請求項４】
電機の内リング構造と電機の中リング構造と電機の外リング構造とがセットになって同軸作動を行う同軸三リング電機によって構成され、電機の内リング構造（２１）と電機の中リング構造（２２）と電機の外リング構造（２３）とより構成されるものを含み、
１．電機の外リング構造構造（２３）は電機の中リング構造（２２）の電磁カップリング効果の面に向き、或いは、
２．電機の中リング構造（２２）は電機の内リング構造（２１）の電磁カップリング効果の面に向き、
３．電機の内リング構造（２１）は電機の中リング構造（２２）の電磁カップリング効果の面に向き、或いは、
４．電機の中リング構造（２２）は外リング構造（２３）の電磁カップリング効果の面に向き、
上記１項、２項、３項又は４項の電磁カップリング効果の面に通電巻線（１００）に励磁される個別のヨーク（１０１）が設置され、永久磁石（１０３）が個別のヨーク（１０１）の中或いは個別のヨーク（１０１）と磁路（１０２）との間に設けられており、更に通電巻線に励磁されるヨーク（１０１）と磁路（１０２）との間に永久磁石（１０３）が設けられているシリンダー電機であることを特徴とする請求項１記載のヨークによって永久磁石を覆う電機。
【請求項５】
電機の内リング構造と電機の中リング構造と電機の外リング構造とがセットになって同軸作動を行う同軸三リング電機によって構成され、電機の内リング構造（２１）と電機の中リング構造（２２）と電機の外リング構造（２３）とより構成されるものを含み、
１．電機の外リング構造（２３）は電機の中リング構造（２２）の電磁カップリング効果の面に向き、及び電機の中リング構造（２２）は電機の内リング構造（２１）の電磁カップリング効果の面に向き、或いは、
２．電機の内リング構造（２１）は電機の中リング構造（２２）の電磁カップリング効果の面に向き、及び電機の中リング構造（２２）は電機の外リング構造（２３）の電磁カップリング効果の面に向き、或いは、
３．電機の外リング構造（２３）は電機の中リング構造（２２）の電磁カップリング効果の面に向き、及び電機の内リング構造（２１）は電機の中リング構造（２２）の電磁カップリング効果の面に向き、
４．電機の中リング構造（２２）は電機の外リング構造（２３）及び電機の内リング構造（２１）の電磁カップリング効果の面に向き、
上記１項、２項、３項又は４項の電磁カップリング効果の面に通電巻線（１００）に励磁される個別のヨーク（１０１）が設置され、永久磁石（１０３）が個別のヨーク（１０１）の中、或いは、個別のヨーク（１０１）と磁路（１０２）との間に設けられており、更に通電巻線に励磁されるヨーク（１０１）と磁路（１０２）との間に永久磁石（１０３）が設けられている同軸三リング電機であることを特徴とする請求項１記載のヨークによって永久磁石を覆う電機。
【請求項６】
電機の内リング構造と電機の中リング構造と電機の外リング構造とがセットになって同軸作動を行う同軸三リング電機によって構成され、電機の内リング構造（２１）と電機の中リング構造（２２）と電機の外リング構造（２３）とより構成されるものを含み、
電機の中リング構造（２２）は磁気伝導性体によって永久磁石（１０３）を覆うことにより、ヨーク（１０１）を構成し、更に永久磁石（１０３）に通電巻線（１００）を巻き付け、永久磁石（１０３）の両磁極は別々に電機の内リング構造（２１）及び電機の外リング構造（２３）の両者とダブルサイドカップリングの電磁効果をインタラクトし、更に永久磁石に巻線を巻き付ける同軸三リング電機であることを特徴とする請求項１記載のヨークによって永久磁石を覆う電機。
【請求項７】
電機の二層構造が重なって同軸作動を行う同軸二層式ディスク電機によって構成され、ディスク電機の内層構造（３１）及びディスク電機の外層構造（３２）より構成されるものを含み、
ディスク電機の内層構造（３１）はディスク電機の外層構造（３２）の電磁カップリング効果の面に向き、通電巻線に励磁される個別ヨーク（１０１）の磁極磁路の中に永久磁石（１０３）を覆い、或いは、個別ヨーク（１０１）と磁路（１０２）との間に励磁状態である永久磁石（１０３）を覆い、ディスク電機の外層構造（３２）と電磁効果をインタラクトし、或いは、ディスク電機の外層構造（３２）はディスク電機の内層構造（３１）の電磁カップリング効果の面に向き、通電巻線に励磁される個別ヨーク（１０１）の磁極磁路の中に永久磁石（１０３）を覆い、或いは、個別ヨーク（１０１）と磁路（１０２）との間に励磁状態である永久磁石（１０３）を覆い、ディスク電機の内層構造（３１）と電磁効果をインタラクトし、更にヨーク（１０１）と磁路（１０２）との間に励磁状態である永久磁石（１０３）を覆う同軸二層式ディスク電機であることを特徴とする請求項１記載のヨークによって永久磁石を覆う電機。
【請求項８】
電機の内層構造と電機の中層構造と電機の外層構造とが重なって同軸作動を行う同軸三層式ディスク電機によって構成され、ディスク電機の内層構造（４１）、ディスク電機の中層構造（４２）及びディスク電機の外層構造（４３）より構成されるものを含み、
１．ディスク電機の内層構造（４１）はディスク電機の中層構造（４２）の電磁カップリング効果の面に向き、或いは、
２．ディスク電機の中層構造（４２）はディスク電機の内層構造（４１）の電磁カップリング効果の面に向き、或いは、
３．ディスク電機の中層構造（４２）はディスク電機の外層構造（４３）の電磁カップリング効果の面に向き、或いは、
４．ディスク電機の外層構造（４３）はディスク電機の中層構造（４２）の電磁カップリング効果の面に向き、
上記１項、２項、３項又は４項の電磁カップリング効果の面に通電巻線（１００）に励磁される個別のヨーク（１０１）が設置され、永久磁石（１０３）が個別のヨーク（１０１）、或いは、個別のヨーク（１０１）と磁路（１０２）との間に設けられており、更に通電巻線に励磁されるヨーク（１０１）と磁路（１０２）との間に永久磁石（１０３）が設けられている同軸三層式ディスク電機であることを特徴とする請求項１記載のヨークによって永久磁石を覆う電機。
【請求項９】
電機の内層構造と電機の中層構造と電機の外層構造とが重なって同軸作動を行う同軸三層式ディスク電機によって構成されること、ディスク電機の内層構造（４１）とディスク電機の中層構造（４２）とディスク電機の外層構造（４３）とより構成されるものを含み、
１．ディスク電機の内層構造（４１）はディスク電機の中層構造（４２）の電磁カップリング効果の面に向き、及びディスク電機の中層構造（４２）はディスク電機の外層構造（４３）の電磁カップリング効果の面に向き、或いは、
２．ディスク電機の外層構造（４３）はディスク電機の中層構造（４２）の電磁カップリング効果の面に向き、及びディスク電機の中層構造（４２）はディスク電機の内層構造（４１）の電磁カップリング効果の面に向き、或いは、
３．ディスク電機の内層構造（４１）及びディスク電機の外層構造（４３）はディスク電機の中層構造（４２）の電磁カップリング効果の面に向き、或いは、
４．ディスク電機の中層構造（４２）の両側はディスク電機の内層構造（４１）及びディスク電機の外層構造（４３）の電磁カップリング効果の面に向き、
上記１項、２項、３項又は４項の電磁カップリング効果の面に通電巻線（１００）に励磁される個別のヨーク（１０１）が設置され、永久磁石（１０３）が個別のヨーク（１０１）、或いは、個別のヨーク（１０１）と磁路（１０２）との間に設けられており、更に通電巻線に励磁されるヨーク（１０１）と磁路（１０２）との間に永久磁石（１０３）が設けられている同軸三層式ディスク電機であることを特徴とする請求項１記載のヨークによって永久磁石を覆う電機。
【請求項１０】
電機の内層構造と電機の中層構造と電機の外層構造とが重なって同軸作動を行う同軸三層式ディスク電機によって構成され、ディスク電機の内層構造（４１）とディスク電機の中層構造（４２）とディスク電機の外層構造（４３）とより構成されるものを含み、
ディスク電機の中層構造（４２）に永久磁石（１０３）を設置することにより、ヨーク（１０１）を構成し、また、永久磁石（１０３）に通電巻線（１００）を巻き付け、永久磁石（１０３）の両磁極は別々にディスク電機の内層構造（４１）及びディスク電機の外層構造（４３）の両者とダブルサイドカップリングの電磁効果をインタラクトし、更に永久磁石に巻線を巻き付ける同軸三リング電機であることを特徴とする請求項１記載のヨークによって永久磁石を覆う電機。
【請求項１１】
リニア電機の二層構造によりリニアカップリングを行う二層式リニア電機によって構成され、リニア電機の内層構造（５１）及びリニア電機の外層構造（５２）より構成されるものを含み、
リニア電機の内層構造（５１）はリニア電機の外層構造（５２）の電磁カップリング効果の面に向き、通電巻線に励磁される個別ヨーク（１０１）を設置し、磁極磁路の中で永久磁石（１０３）を覆い、或いは、個別ヨーク（１０１）と磁路（１０２）との間に励磁状態である永久磁石（１０３）を覆い、リニア電機の外層構造（５２）と電磁効果をインタラクトし、或いは、リニア電機の外層構造（５２）はリニア電機の内層構造（５１）の電磁カップリング効果の面に向き、通電巻線に励磁される個別ヨーク（１０１）を設置し、磁極磁路の中で永久磁石（１０３）を覆い、或いは、個別ヨーク（１０１）と磁路との間に励磁状態である永久磁石（１０３）を覆い、リニア電機の内層構造（５１）と電磁効果をインタラクトし、更に通電巻線に励磁されるヨーク（１０１）と磁路（１０２）との間に励磁状態である永久磁石（１０３）を覆う二層式リニア電機であって、また、ヨーク（１０１）と磁路（１０２）との間に励磁状態である永久磁石（１０３）を覆う二層式リニア電機であることを特徴とする請求項１記載のヨークによって永久磁石を覆う電機。
【請求項１２】
リニア電機の内層構造と電機の中層構造と電機の外層構造とよりリニアカップリングを行う三層式リニア電機によって構成され、リニア電機の内層構造（６１）とリニア電機の中層構造（６２）とリニア電機の外層構造（６３）とによって構成されるものを含み、
１．リニア電機の内層構造（６１）はリニア電機の中層構造（６２）の電磁カップリング効果の面に向き、或いは、
２．リニア電機の中層構造（６２）はリニア電機の内層構造（６１）の電磁カップリング効果の面に向き、或いは、
３．リニア電機の外層構造（６３）はリニア電機の中層構造（６２）の電磁カップリング効果の面に向き、或いは、
４．リニア電機の中層構造（６２）はリニア電機の外層構造（６３）の電磁カップリング効果の面に向き、
上記１項、２項、３項又は４項の電磁カップリング効果の面に通電巻線（１００）に励磁される個別のヨーク（１０１）が設置されており、永久磁石（１０３）が個別のヨーク（１０１）、或いは、個別のヨーク（１０１）と磁路（１０２）との間に設けられており、更に通電巻線に励磁されるヨーク（１０１）と磁路（１０２）との間に永久磁石（１０３）が設けられている同軸三層式ディスク電機であることを特徴とする請求項１記載のヨークによって永久磁石を覆う電機。
【請求項１３】
リニア電機の内層構造と電機の中層構造と電機の外層構造とよりリニアカップリングを行う三層式リニア電機によって構成され、リニア電機の内層構造（６１）とリニア電機の中層構造（６２）とリニア電機の外層構造（６３）とより構成されるものを含み、
１．リニア電機の中層構造（６２）はリニア電機の外層構造（６３）の電磁カップリング効果の面に向き、及びリニア電機の内層構造（６１）はリニア電機の中層構造（６２）の電磁カップリング効果の面に向き、或いは、
２．リニア電機の外層構造（６３）はリニア電機の中層構造（６２）の電磁カップリング効果の面に向き、及びリニア電機の中層構造（６２）はリニア電機の内層構造（６１）の電磁カップリング効果の面に向き、或いは、
３．リニア電機の外層構造（６３）はリニア電機の中層構造（６２）の電磁カップリング効果の面に向き、及びリニア電機の内層構造（６１）はリニア電機の中層構造（６２）の電磁カップリング効果の面に向き、或いは、
４．リニア電機の中層構造（６２）の両側面はリニア電機の外層構造（６３）及びリニア電機の内層構造（６１）の電磁カップリング効果の面に向き、
上記１項、２項、３項又は４項の電磁カップリング効果の面に通電巻線（１００）に励磁される個別のヨーク（１０１）が設置されており、永久磁石（１０３）が個別のヨーク（１０１）、或いは、個別のヨーク（１０１）と磁路（１０２）との間に設けられており、更に通電巻線に励磁されるヨーク（１０１）と磁路（１０２）との間に永久磁石（１０３）が設けられている同軸三層式リニア電機であることを特徴とする請求項１記載のヨークによって永久磁石を覆う電機。
【請求項１４】
リニア電機の内層構造と電機の中層構造と電機の外層構造とより構成されるリニアカップリングを行う三層式リニア電機であり、リニア電機の内層構造（６１）とリニア電機の中層構造（６２）とリニア電機の外層構造（６３）とより構成されるものを含み、
リニア電機の中層構造（６２）に永久磁石（１０３）を設置することにより、磁極を構成し、更に永久磁石（１０３）に通電巻線（１００）を巻き付け、永久磁石（１０３）の両磁極は別々にリニア電機の外層構造（６３）及びリニア電機の内層構造（６１）の両者とダブルサイドカップリングの電磁効果をインタラクトし、更に永久磁石に励磁状態である巻線を巻き付ける三層式リニア電機であることを特徴とする請求項１記載のヨークによって永久磁石を覆う電機。
【請求項１５】
電機の内層構造及び電機の外層構造を有するシリンダー電機構造、同軸三リング状電機構造、二層式ディスク電機構造、同軸三層式ディスク電機構造、二層式リニア電機構造、または、三層式リニア電機構造を有し、通電巻線（１００）の磁極と磁極間磁路（１０２）によって永久磁石を覆い、また、永久磁石（１０３）の一部の磁力線を通過させ、かつ永久磁石（１０３）は磁路（１０２）によって結合する通電巻線（１００）のヨーク（１０１）の極面にある程度の磁場強度を形成し、電機作動中、もし永久磁石（１０３）が逆方向へ励磁されるとき、永久磁石（１０３）にある二つの異極性である磁極の間に閉磁路が保たれ、磁力線が持続維持されることによって、逆方向防止の励磁特性を増強する機能があることを特徴とする請求項１記載のヨークによって永久磁石を覆う電機。
【請求項１６】
インタラクトする二個の電機パーツを含み、
１．一個の電機パーツを電機の静止部とし、もう一個の電機パーツを電機の可動部とし、或いは、
２．両方の電機パーツを全て電機の可動部とすることを特徴とする請求項１記載のヨークによって永久磁石を覆う電機。
【請求項１７】
インタラクトする三個の電機パーツを含み、
１．一個の電磁パーツを電機の静止部とし、残りの二個の電磁パーツを電機の可動部とし、或いは、
２．二個の電磁パーツを電機の静止部とし、残りの一個の電磁パーツを電機の可動部とし、或いは、
３．三個の電磁パーツを全て電機の可動部とすることを特徴とする請求項１記載のヨークによって永久磁石を覆う電機。
【請求項１８】
電機の内層構造及び電機の外層構造を持つシリンダー電機、同軸三リング電機、二層式ディスク電機、同軸三層式ディスク電機、二層式リニア電機、三層式リニア電機へ応用するとき、ブロック状或いはシート状磁気伝導体によって構成される通電巻線（１００）のヨーク（１０１）の電磁カップリングを行う面の縁部に近接するところに横向きの槽穴を設置し、横向きの槽穴は線形、弧形、特定の幾何形状、電磁カップリング効果の面に沿って平行する形状であってよいが、中に相対形状の永久磁石（１０３）を設置し、また、ヨーク（１０１）の回転軸方向の片側或いは両側に磁気伝導性材料或いは非磁気伝導性材料で保護カバー（１０１１）を選択設置し、保護カバー（１０１１）の構成は、
１．ブロック状或いはシート状磁気伝導体によって構成されるヨーク（１０１）の回転軸方向の片側或いは両側に磁極と同じ長さの保護カバー（１０１１）を加設することにより、ブロック状或いはシート状磁気伝導体によって構成される通電巻線（１００）のヨーク（１０１）を挟み付け、及び永久磁石（１０３）を覆い、或いは、
２．通電巻線（１００）のヨーク（１０１）の回転軸方向の片側或いは両側に保護カバー（１０１１）を加設することにより、シート状磁気伝導体によって構成されるヨーク（１０１）を挟み付け、及び永久磁石（１０３）を覆い、保護カバー（１０１１）は磁路（１０２）方向に向かって延伸し、かつ磁路（１０２）に結合し、或いは、
３．ブロック状構造に設けた通電巻線（１００）のヨーク（１０１）の回転軸方向の片側或いは両側に保護カバー（１０１１）を加設することにより、ブロック状ヨーク（１０１）を挟み付け、及び永久磁石（１０３）を覆い、保護カバー（１０１１）は磁路（１０２）方向に向かって延伸し、かつ磁路（１０２）に結合し、或いは、
４．ヨーク（１０１）の厚さより薄い永久磁石（１０３）を横向きの槽穴に置き、かつ横向きの槽穴の片端或いは両端に保護カバー或いはスペーサーを詰め込むことを特徴とする請求項１記載のヨークによって永久磁石を覆う電機。
【請求項１９】
電機の内層構造及び電機の外層構造を持つシリンダー電機、同軸三リング電機、二層式ディスク電機、同軸三層式ディスク電機、二層式リニア電機、三層式リニア電機へ応用するとき、ブロック状或いはシート状磁気伝導体によって構成される通電巻線（１００）のヨーク（１０１）が磁路（１０２）の辺縁に近接するところに軸向きの凹構造を設置し、軸向きの凹口の陥凹底面は平面、曲面、特定の幾何形状、電磁カップリング効果の面に沿って平行する形状であってよいが、中に相対形状の永久磁石（１０３）を設置し、また、ヨーク（１０１）の回転軸方向の片側或いは両側に磁気伝導性材料或いは非磁気伝導性材料で保護カバー（１０１２）を選択設置し、保護カバー（１０１２）の構成は、
１．保護カバーを設置せず、或いは、
２．シート状磁気伝導体によって構成される通電巻線（１００）のヨーク（１０１）の回転軸方向の片側或いは両側に保護カバー（１０１２）を加設することにより、磁気伝導体によって構成されるヨーク（１０１）を挟み付け、保護カバー（１０１２）は磁路（１０２）方向に向かって延伸し、かつ磁路（１０２）に結合し、或いは、
３．ブロック状に設けた通電巻線（１００）のヨーク（１０１）の回転軸方向の片側或いは両側に保護カバー（１０１２）を加設することにより、ブロック状のヨーク（１０１）を挟み付け、保護カバー（１０１２）は磁路（１０２）方向に向かって延伸し、かつ磁路（１０２）に結合し、或いは、
４．全体がブロック状を呈する通電巻線（１００）のヨーク（１０１）の回転軸方向の片側或いは両側は磁路（１０２）方向に向かって延伸し、かつ磁路（１０２）に結合し、また、永久磁石（１０３）の回転軸方向の片側或いは両側に保護カバー（１０１２）を形成することを特徴とする請求項１記載のヨークによって永久磁石を覆う電機。
【請求項２０】
電機の内層構造及び電機の外層構造を持つシリンダー電機、同軸三リング電機、二層式ディスク電機、同軸三層式ディスク電機、二層式リニア電機、三層式リニア電機へ応用するとき、ブロック状或いはシート状磁気伝導体によって構成される通電巻線（１００）のヨーク（１０１）が磁路（１０２）の辺縁に近接するところに軸向きの凹構造を設置し、軸向きの凹口の陥凹底面は平面、曲面、特定の幾何形状、電磁カップリング効果の面に沿って平行する形状であってよいが、中に相対形状の永久磁石（１０３）を設置し、また、ヨーク（１０１）の回転軸方向の片側或いは両側に磁気伝導性材料或いは非磁気伝導性材料で保護カバー（１０１３）を選択設置し、保護カバー（１０１３）の構成は、
１．通電巻線（１００）のヨーク（１０１）の回転軸方向の片側或いは両側に保護カバー（１０１３）を加設することにより、シート状磁気伝導体によって構成されるヨーク（１０１）を挟み付け、及び永久磁石（１０３）を覆い、或いは、
２．シート状磁気伝導体によって構成される通電巻線（１００）のヨーク（１０１）の回転軸方向の片側或いは両側に保護カバー（１０１３）を加設することにより、シート状磁気伝導体によって構成されるヨーク（１０１）を挟み付け、及び永久磁石（１０３）を覆い、保護カバー（１０１３）は磁路（１０２）方向に向かって延伸し、かつ磁路（１０２）に結合し、或いは、
３．通電巻線（１００）のヨーク（１０１）の回転軸方向の片側或いは両側に保護カバー（１０１３）を加設することにより、ブロック状ヨーク（１０１）を挟み付け、及び永久磁石（１０３）を覆い、保護カバー（１０１３）は磁路（１０２）方向に向かって延伸し、かつ磁路（１０２）に結合し、或いは、
４．全体がブロック状を呈する通電巻線（１００）のヨーク（１０１）と磁路（１０２）の一面に凹入部を設置し、中に幾何形状の永久磁石（１０３）を入れ、全体がブロック状を呈するヨーク（１０１）の回転軸方向の片側或いは両側にある保護カバー（１０１４）は磁路（１０２）方向に向かって延伸し、かつ磁路（１０２）に結合することを特徴とする請求項１記載のヨークによって永久磁石を覆う電機。
【請求項２１】
電機の内層構造及び電機の外層構造を持つシリンダー電機、同軸三リング電機、二層式ディスク電機、同軸三層式ディスク電機、二層式リニア電機、三層式リニア電機へ応用するとき、ブロック状或いはシート状磁気伝導体によって構成される通電巻線（１００）のヨーク（１０１）と磁路（１０２）との間に幾何形状の永久磁石（１０３）を挟み付け、更に永久磁石（１０３）の回転軸方向の片側或いは両側に磁気伝導性材料或いは非磁気伝導性材料によって構成される保護カバー（１０１４）を加設し、保護カバー（１０１４）の構成は、
１．永久磁石（１０３）の回転軸方向の片側或いは両側に保護カバー（１０１４）を加設し、保護カバー（１０１４）は少なくとも永久磁石（１０３）をカバーし、また、ヨーク（１０１）と永久磁石（１０３）を併せた長さと同じであり、加設する保護カバーは磁気伝導性材料によって構成され、或いは、
２．シート状磁気伝導体によって構成される通電巻線（１００）のヨーク（１０１）の回転軸方向の片側或いは両側に保護カバー（１０１４）を加設し、保護カバー（１０１４）は少なくとも永久磁石（１０３）をカバーし、また、ヨーク（１０１）と永久磁石（１０３）を併せた長さと同じであり、また、保護カバー（１０１４）は磁路（１０２）方向に向かって延伸し、かつ磁路（１０２）に結合し、加設する保護カバーは磁気伝導性材料によって構成され、或いは、
３．永久磁石（１０３）の回転軸方向の片側或いは両側に保護カバー（１０１４）を加設することにより、ブロック状ヨーク（１０１）を挟み付け、保護カバー（１０１４）は少なくとも永久磁石（１０３）をカバーし、また、ヨーク（１０１）と永久磁石（１０３）を併せた長さと同じであり、また、保護カバー（１０１４）は磁路（１０２）方向に向かって延伸し、かつ磁路（１０２）に結合し、加設する保護カバーは磁気伝導性材料によって構成され、或いは、
４．全体がブロック状を呈する通電巻線（１００）のヨーク（１０１）と磁路（１０２）との間に幾何形状の永久磁石（１０３）を設け、全体がブロック状を呈するヨーク（１０１）の回転軸方向の片側或いは両側から磁路（１０２）方向に向かって延伸し、更に永久磁石（１０３）の回転軸方向の片側或いは両側に保護カバー（１０１４）を構成し、かつ保護カバー（１０１４）は磁路（１０２）に結合することを特徴とする請求項１記載のヨークによって永久磁石を覆う電機。
【請求項２２】
電機の内層構造及び電機の外層構造を持つシリンダー電機、同軸三リング電機、二層式ディスク電機、同軸三層式ディスク電機、二層式リニア電機、三層式リニア電機へ応用するとき、ブロック状或いはシート状磁気伝導体によって構成される通電巻線（１００）のヨーク（１０１）は電磁カップリング効果を有する面の極軸方向の片側に近接するところに少なくとも一個の横向きの槽穴を設置し、横向きの槽穴は線形、弧形、特定の幾何形状、電磁カップリング効果の面に沿って平行する形状であってよいが、中に相対数量と相対形状の永久磁石を設置し、磁極の槽穴によって覆われる電機の永久磁石の極軸方向に電機の角度差を設けることによって、必要な磁場の磁力線を分布させ、ヨーク（１０１）の回転軸方向の片側或いは両側に磁気伝導性材料或いは非磁気伝導性材料で保護カバーを選択設置し、保護カバーの構成は、
１．保護カバーを設置せず、或いは、
２．永久磁石（１０３）の回転軸方向の片側或いは両側に保護カバーを加設し、保護カバーの長さは通電巻線（１００）のヨーク（１０１）と永久磁石（１０３）を併せた長さと同じであり、或いは、
３．ブロック状或いはシート状磁気伝導体によって構成される通電巻線（１００）のヨーク（１０１）の回転軸方向の片側或いは両側に保護カバーを加設することにより、シート状磁気伝導体によって構成されるヨーク（１０１）を挟み付け、保護カバーは磁路（１０２）方向に向かって延伸し、かつ磁路（１０２）に結合し、或いは、
４．ヨーク（１０１）の厚さより薄い永久磁石（１０３）を横向きの槽穴に置き、かつ横向きの槽穴の片端或いは両端に保護カバー或いはスペーサーを詰め込むことを特徴とする請求項１記載のヨークによって永久磁石を覆う電機。
【請求項２３】
電機の内層構造及び電機の外層構造を持つシリンダー電機、同軸三リング電機、二層式ディスク電機、同軸三層式ディスク電機、二層式リニア電機、三層式リニア電機へ応用するとき、ブロック状或いはシート状磁気伝導体によって構成される通電巻線（１００）のヨーク（１０１）は、電磁カップリング効果を有する面の極軸方向の両側に少なくとも一個の横向きの槽穴を設置し、横向きの槽穴は線形、弧形、特定の幾何形状、電磁カップリング効果の面に沿って平行する形状であってよいが、中に相対数量と相対形状の永久磁石を設置し、磁極の槽穴によって覆われる電機の永久磁石の極軸方向に電機の角度差を設けることによって、必要な磁場の磁力線を分布させ、ヨーク（１０１）の回転軸方向の片側或いは両側に磁気伝導性材料或いは非磁気伝導性材料で保護カバーを選択設置し、保護カバーの構成は、
１．保護カバーを設置せず、或いは、
２．永久磁石（１０３）の回転軸方向の片側或いは両側に保護カバーを加設し、保護カバーの長さは通電巻線（１００）のヨーク（１０１）と永久磁石（１０３）を併せた長さと同じであり、或いは、
３．ブロック状或いはシート状磁気伝導体によって構成される通電巻線（１００）のヨーク（１０１）の回転軸方向の片側或いは両側に保護カバーを加設することにより、シート状磁気伝導体によって構成されるヨーク（１０１）を挟み付け、保護カバーは磁路（１０２）方向に向かって延伸し、かつ磁路（１０２）に結合し、或いは、
４．ヨーク（１０１）の厚さより薄い永久磁石（１０３）を横向きの槽穴に置き、かつ横向きの槽穴の片端或いは両端に保護カバー或いはスペーサーを詰め込むことを特徴とする請求項１記載のヨークによって永久磁石を覆う電機。
【発明の詳細な説明】
【技術分野】
【０００１】
本発明は、一種の通電巻線に励磁される磁極によって永久磁石の磁極を覆う電機を示し、今までの各種電機によく使われる通電巻線に励磁される個別磁極の磁極磁路の間に永久磁石の磁極を覆う。或いは、個別磁極と磁路との間に永久磁石の磁極を覆う。或いは、通電巻線に励磁される個別磁極と異極性の通電巻線に励磁される個別磁極との間に二個の磁極磁路によって永久磁石の磁極を覆う。
【背景技術】
【０００２】
伝統的な直流や交流回転式電機或いはリニア電機は、ローター式ブラシ電機、ブラシレス電機、リングブラシ電機、シンクロ電機、アシンクロナス電機、正回転電機、電機の中間構造の回転式電機、逆回転電機、ダブルアクション電機、トリプルアクション電機、多層式電機、多リング電機、リニア電機、ブラシレス直流電機、インバーター電機で、発電機或いは電動機、発電機兼電動機機能電機、電磁効果を行う渦巻きカップリング伝動装置、電磁効果を行う渦巻き制動装置等の全ての電機装置に、電磁効果を行うために、磁極構造を設置する。
【０００３】
今までよく使われている磁極構造の構成方式は下記を含む。
永久磁石の磁極構造である。
直流や交流電気エネルギーで通電巻線に励磁される個別磁極構造である。
通電巻線に励磁される個別磁極の極面に励磁や減磁する永久磁石の磁極を設置する。
図１に伝統的な通電巻線に励磁される個別磁極の極面に励磁や減磁する永久磁石の磁極を設置する構造の模式図を示す。その中で通電巻線１００に励磁される磁極１０１の表面に永久磁石の磁極１０３を設置し、その利点は励磁電流が減少し、欠点は振動により脱落しやすくなり、及び電機作動中に、逆方向励磁により磁力が弱くなることである。
【発明の概要】
【発明が解決しようとする課題】
【０００４】
本発明は、一種の通電巻線に励磁される磁極によって永久磁石の磁極を覆う電機を示し、今までの各種電機によく使われる電機に通電巻線に励磁される個別磁極の磁極磁路の中間に覆われる永久磁石の磁極を設置する。或いは、個別磁極と磁路との間に永久磁石の磁極を覆う。或いは、通電巻線に励磁される個別磁極と異極性の通電巻線に励磁される個別磁極との間に永久磁石の磁極を覆う。
本発明の通電巻線に励磁される磁極によって永久磁石の磁極を覆う電機は、通電巻線に励磁される個別磁極によって永久磁石の磁極を覆う革新的な設計で、永久磁石の磁極が振動により脱落することを避け、及び電機作動中に、逆方向励磁により磁力が弱くなることを避ける。
【課題を解決するための手段】
【０００５】
一種の通電巻線に励磁される磁極によって永久磁石の磁極を覆う電機は、通電巻線に励磁される個別磁極によって永久磁石の磁極を覆う革新的な設計で、永久磁石の磁極が振動により脱落することを避け、及び電機作動中に、逆方向励磁により磁力が弱くなることを避ける。
【図面の簡単な説明】
【０００６】
【図１】伝統的な通電巻線に励磁される個別磁極の極面に励磁や減磁する永久磁石の磁極を設置する構造の模式図である。
【図２】本発明の一実施形態による通電巻線に励磁される磁極によって永久磁石の磁極を覆う電機の通電巻線の励磁型個別磁極と磁路との間へ応用した構造を示す模式図である。
【図３】本発明の一実施形態による通電巻線に励磁される磁極によって永久磁石の磁極を覆う電機の通電巻線の励磁型個別磁極と磁路の中間へ応用した構造を示す模式図である。
【図４】本発明の一実施形態による通電巻線に励磁される磁極によって永久磁石の磁極を覆う電機の磁路の間で磁路の両端の異極性である通電巻線の励磁型個別磁極が励磁状態になっている永久磁石の磁極を覆う構造を示す斜視図である。
【図５】本発明の一実施形態による通電巻線に励磁される磁極によって永久磁石の磁極を覆う電機のシリンダー電機へ応用した外形を示す分解斜視図である。
【図６】本発明の一実施形態による通電巻線に励磁される磁極によって永久磁石の磁極を覆う電機の同軸三リング電機へ応用した外形を示す分解斜視図である。
【図７】本発明の一実施形態による通電巻線に励磁される磁極によって永久磁石の磁極を覆う電機の同軸二層式ディスク電機へ応用した外形を示す分解斜視図である。
【図８】本発明の一実施形態による通電巻線に励磁される磁極によって永久磁石の磁極を覆う電機の同軸三層式ディスク電機へ応用した外形を示す分解斜視図である。
【図９】本発明の一実施形態による通電巻線に励磁される磁極によって永久磁石の磁極を覆う電機の二層式リニア電機へ応用した外形を示す分解斜視図である。
【図１０】本発明の一実施形態による通電巻線に励磁される磁極によって永久磁石の磁極を覆う電機の三層式リニア電機へ応用した外形を示す分解斜視図である。
【図１１】本発明の一実施形態による通電巻線に励磁される磁極によって永久磁石の磁極を覆う電機のシリンダー電機構造へ応用した構造を示す模式図である。
【図１２】本発明の一実施形態による通電巻線に励磁される磁極によって永久磁石の磁極を覆う電機のシリンダー電機構造へ応用した構造を示す模式図である。
【図１３】本発明の一実施形態による通電巻線に励磁される磁極によって永久磁石の磁極を覆う電機の同軸三リング式電機構造へ応用した構造を示す模式図である。
【図１４】本発明の一実施形態による通電巻線に励磁される磁極によって永久磁石の磁極を覆う電機の同軸三リング式電機構造へ応用した構造を示す模式図である。
【図１５】本発明の一実施形態による通電巻線に励磁される磁極によって永久磁石の磁極を覆う電機の同軸三リング式電機構造へ応用した構造を示す模式図である。
【図１６】本発明の一実施形態による通電巻線に励磁される磁極によって永久磁石の磁極を覆う電機の同軸三リング式電機構造へ応用した構造を示す模式図である。
【図１７】本発明の一実施形態による通電巻線に励磁される磁極によって永久磁石の磁極を覆う電機の同軸三リング式電機構造へ応用した構造を示す模式図である。
【図１８】本発明の一実施形態による通電巻線に励磁される磁極によって永久磁石の磁極を覆う電機の同軸三リング式電機構造へ応用した構造を示す模式図である。
【図１９】本発明の一実施形態による通電巻線に励磁される磁極によって永久磁石の磁極を覆う電機の同軸三リング式電機構造へ応用した構造を示す模式図である。
【図２０】本発明の一実施形態による通電巻線に励磁される磁極によって永久磁石の磁極を覆う電機の同軸三リング式電機構造へ応用した構造を示す模式図である。
【図２１】本発明の一実施形態による通電巻線に励磁される磁極によって永久磁石の磁極を覆う電機の同軸三リング式電機構造へ応用した構造を示す模式図である。
【図２２】本発明の一実施形態による通電巻線に励磁される磁極によって永久磁石の磁極を覆う電機の二層式ディスク電機構造へ応用した構造を示す模式図である。
【図２３】本発明の一実施形態による通電巻線に励磁される磁極によって永久磁石の磁極を覆う電機の同軸三層式ディスク電機構造へ応用した構造を示す模式図である。
【図２４】本発明の一実施形態による通電巻線に励磁される磁極によって永久磁石の磁極を覆う電機の同軸三層式ディスク電機構造へ応用した構造を示す模式図である。
【図２５】本発明の一実施形態による通電巻線に励磁される磁極によって永久磁石の磁極を覆う電機の同軸三層式ディスク電機構造へ応用した構造を示す模式図である。
【図２６】本発明の一実施形態による通電巻線に励磁される磁極によって永久磁石の磁極を覆う電機の同軸三層式ディスク電機構造へ応用した構造を示す模式図である。
【図２７】本発明の一実施形態による通電巻線に励磁される磁極によって永久磁石の磁極を覆う電機の同軸三層式ディスク電機構造へ応用した構造を示す模式図である。
【図２８】本発明の一実施形態による通電巻線に励磁される磁極によって永久磁石の磁極を覆う電機の同軸三層式ディスク電機構造へ応用した構造を示す模式図である。
【図２９】本発明の一実施形態による通電巻線に励磁される磁極によって永久磁石の磁極を覆う電機の同軸三層式ディスク電機構造へ応用した構造を示す模式図である。
【図３０】本発明の一実施形態による通電巻線に励磁される磁極によって永久磁石の磁極を覆う電機の同軸三層式ディスク電機構造へ応用した構造を示す模式図である。
【図３１】本発明の一実施形態による通電巻線に励磁される磁極によって永久磁石の磁極を覆う電機の同軸三層式ディスク電機構造へ応用した構造を示す模式図である。
【図３２】本発明の一実施形態による通電巻線に励磁される磁極によって永久磁石の磁極を覆う電機の二層式リニア電機構造へ応用した構造を示す模式図である。
【図３３】本発明の一実施形態による通電巻線に励磁される磁極によって永久磁石の磁極を覆う電機の三層式リニア電機構造へ応用した構造を示す模式図である。
【図３４】本発明の一実施形態による通電巻線に励磁される磁極によって永久磁石の磁極を覆う電機の三層式リニア電機構造へ応用した構造を示す模式図である。
【図３５】本発明の一実施形態による通電巻線に励磁される磁極によって永久磁石の磁極を覆う電機の三層式リニア電機構造へ応用した構造を示す模式図である。
【図３６】本発明の一実施形態による通電巻線に励磁される磁極によって永久磁石の磁極を覆う電機の三層式リニア電機構造へ応用した構造を示す模式図である。
【図３７】本発明の一実施形態による通電巻線に励磁される磁極によって永久磁石の磁極を覆う電機の三層式リニア電機構造へ応用した構造を示す模式図である。
【図３８】本発明の一実施形態による通電巻線に励磁される磁極によって永久磁石の磁極を覆う電機の三層式リニア電機構造へ応用した構造を示す模式図である。
【図３９】本発明の一実施形態による通電巻線に励磁される磁極によって永久磁石の磁極を覆う電機の三層式リニア電機構造へ応用した構造を示す模式図である。
【図４０】本発明の一実施形態による通電巻線に励磁される磁極によって永久磁石の磁極を覆う電機の三層式リニア電機構造へ応用した構造を示す模式図である。
【図４１】本発明の一実施形態による通電巻線に励磁される磁極によって永久磁石の磁極を覆う電機の三層式リニア電機構造へ応用した構造を示す模式図である。
【図４２】本発明の一実施形態による通電巻線に励磁される磁極によって永久磁石の磁極を覆う電機のシリンダー電機構造の外層構造への応用構造を示す斜視図である。
【図４３】本発明の一実施形態による通電巻線に励磁される磁極によって永久磁石の磁極を覆う電機のシリンダー電機構造の内層構造への応用構造を示す斜視図である。
【図４４】本発明の一実施形態による通電巻線に励磁される磁極によって永久磁石の磁極を覆う電機の同軸三リング電機構造への応用構造を示す斜視図である。
【図４５】本発明の一実施形態による通電巻線に励磁される磁極によって永久磁石の磁極を覆う電機のディスク電機構造への応用構造を示す斜視図である。
【図４６】本発明の一実施形態による通電巻線に励磁される磁極によって永久磁石の磁極を覆う電機の同軸三層式ディスク電機構造への応用構造を示す斜視図である。
【図４７】本発明の一実施形態による通電巻線に励磁される磁極によって永久磁石の磁極を覆う電機のリニア電機構造への応用構造を示す斜視図である。
【図４８】本発明の一実施形態による通電巻線に励磁される磁極によって永久磁石の磁極を覆う電機の三層式リニア電機構造への応用構造を示す斜視図である。
【図４９】本発明の一実施形態による通電巻線に励磁される磁極によって永久磁石の磁極を覆う電機のシリンダー電機構造の外層構造への応用構造を示す模式図である。
【図５０】本発明の一実施形態による通電巻線に励磁される磁極によって永久磁石の磁極を覆う電機のシリンダー電機構造の内層構造への応用構造を示す模式図である。
【図５１】本発明の一実施形態による通電巻線に励磁される磁極によって永久磁石の磁極を覆う電機のシリンダー電機構造の外層構造への応用構造を示す分解斜視図である。
【図５２】本発明の一実施形態による通電巻線に励磁される磁極によって永久磁石の磁極を覆う電機のシリンダー電機構造の内層構造への応用構造を示す分解斜視図である。
【図５３】図５１に示したシリンダー電機の外層構造を示す分解斜視図である。
【図５４】図５２に示したシリンダー電機の内層構造を示す分解斜視図である。
【図５５】図５１に示したシリンダー電機の外層構造を示す分解斜視図である。
【図５６】図５２に示したシリンダー電機の内層構造を示す分解斜視図である。
【図５７】本発明の一実施形態による通電巻線に励磁される磁極によって永久磁石の磁極を覆う電機のシリンダー電機構造の外層構造への応用構造を示す分解斜視図である。
【図５８】本発明の一実施形態による通電巻線に励磁される磁極によって永久磁石の磁極を覆う電機のシリンダー電機構造の内層構造への応用構造を示す分解斜視図である。
【図５９】図５７に示したシリンダー電機の外層構造を示す分解斜視図である。
【図６０】図５８に示したシリンダー電機の内層構造を示す分解斜視図である。
【図６１】図５７に示したシリンダー電機の外層構造を示す分解斜視図である。
【図６２】図５８に示したシリンダー電機の内層構造を示す分解斜視図である。
【図６３】図５７に示したシリンダー電機の外層構造を示す分解斜視図である。
【図６４】図５８に示したシリンダー電機の内層構造を示す分解斜視図である。
【図６５】本発明の一実施形態による通電巻線に励磁される磁極によって永久磁石の磁極を覆う電機のシリンダー電機の外層構造への応用構造を示す分解斜視図である。
【図６６】本発明の一実施形態による通電巻線に励磁される磁極によって永久磁石の磁極を覆う電機のシリンダー電機の内層構造への応用構造を示す分解斜視図である。
【図６７】図６５に示したシリンダー電機の外層構造を示す分解斜視図である。
【図６８】図６６に示したシリンダー電機の内層構造を示す分解斜視図である。
【図６９】図６５に示したシリンダー電機の外層構造を示す分解斜視図である。
【図７０】図６６に示したシリンダー電機の内層構造を示す分解斜視図である。
【図７１】図６５に示したシリンダー電機の外層構造を示す分解斜視図である。
【図７２】図６６に示したシリンダー電機の内層構造を示す分解斜視図である。
【図７３】本発明の一実施形態による通電巻線に励磁される磁極によって永久磁石の磁極を覆う電機のシリンダー電機の外層構造への応用構造を示す分解斜視図である。
【図７４】本発明の一実施形態による通電巻線に励磁される磁極によって永久磁石の磁極を覆う電機のシリンダー電機の内層構造への応用構造を示す分解斜視図である。
【図７５】図７３に示したシリンダー電機の外層構造を示す分解斜視図である。
【図７６】図７４に示したシリンダー電機の内層構造を示す分解斜視図である。
【図７７】図７３に示したシリンダー電機の外層構造を示す分解斜視図である。
【図７８】図７７に示したシリンダー電機の内層構造を示す分解斜視図である。
【図７９】図７３に示したシリンダー電機の外層構造を示す分解斜視図である。
【図８０】図７４に示したシリンダー電機の内層構造を示す分解斜視図である。
【図８１】本発明の一実施形態による通電巻線に励磁される磁極によって永久磁石の磁極を覆う電機のシリンダー電機の外層構造を示す分解斜視図である。
【図８２】本発明の一実施形態による通電巻線に励磁される磁極によって永久磁石の磁極を覆う電機のシリンダー電機の内層構造を示す分解斜視図である。
【図８３】本発明の一実施形態による通電巻線に励磁される磁極によって永久磁石の磁極を覆う電機のシリンダー電機の外層構造を示す分解斜視図である。
【図８４】本発明の一実施形態による通電巻線に励磁される磁極によって永久磁石の磁極を覆う電機のシリンダー電機の内層構造を示す分解斜視図である。
【発明を実施するための形態】
【０００７】
本発明の一実施形態による通電巻線に励磁される磁極によって永久磁石の磁極を覆う電機は、今までの各種電機によく使われる通電巻線１００によって励磁される磁極１０１と連結する磁路１０２との間に永久磁石の磁極１０３を覆う。その設置方式は、個別磁極１０１の通電巻線１００の通電励磁極性に取り囲まれる永久磁石の磁極１０３の極性は同極性の励磁効果或いは異極性の減磁効果を含むことを特徴とする。
【０００８】
本実施形態の通電巻線に励磁される磁極によって永久磁石の磁極を覆う電機では、永久磁石の磁極１０３を覆う方式は、永久磁石の磁極１０３と通電巻線１００の磁極１０１及び磁路１０２を結合させてから、永久磁石の磁極１０３にある二つの異極性の磁極の間に片側或いは片側以上に磁気伝導性材料より構成する磁路を形成し、永久磁石の磁極１０３にある二つの異極性の磁極の間をカバーする。少なくとも片側或いは全面的に磁気伝導性材料に取り囲まれる磁気伝導性磁路を構成することにより、永久磁石の磁極１０３の一部の磁力線を通過させ、かつ永久磁石の磁極１０３は磁極１０１の極面にある程度の磁場強度を形成する。電機作動中、もし永久磁石の磁極１０３が逆方向へ励磁されるとき、永久磁石の磁極１０３にある二つの異極性である磁極の間に閉磁路が保たれ、磁力線が持続維持されることによって、逆方向防止の励磁特性を増強する機能がある。
【０００９】
本実施形態の通電巻線に励磁される磁極によって永久磁石の磁極を覆う電機は、磁極１０１の磁路１０２を連結し、及び通電巻線に励磁される磁極１０１を設置する。シリコン鋼片または鋼或いは鉄等のよく使われる良好な磁気伝導性材料を使用し、一体構成或いは複数材料が重なり合って構成され、或いは、磁気伝導性材料の粉末冶金より構成されるものである。磁極１０１の極面は、電磁効果をインタラクトする別の電機構造体と向かい合い、磁極１０１の極面はニーズによって凹凸弧面形或いは平面形を選択する。また、更なるニーズによって溝、凹凸或いは特定の幾何形状を持つ極面を選択することも可能である。
【００１０】
その設置方式は下記を含む。
１．今までの各種電機によく使われる通電巻線１００に励磁される個別磁極１０１と磁路１０２との間に永久磁石の磁極１０３を覆い、通電巻線１００の励磁極性と永久磁石の磁極１０３の極性関係は励磁或いは減磁する電機特性である。図２に本実施形態を通電巻線の励磁型個別磁極と磁路との間へ応用し、通電巻線の励磁型個別磁極を覆い、励磁状態になる永久磁石の磁極の構造の模式図を示す。
２．永久磁石の磁極１０３の設置方式は、磁極１０１に設置する励磁される通電巻線１００の中間に永久磁石の磁極１０３を覆い、通電巻線１００の励磁極性と永久磁石の磁極１０３の極性関係は励磁或いは減磁する電機特性である。図３に本実施形態を通電巻線の励磁型個別磁極と磁路の中間へ応用し、通電巻線の励磁型個別磁極を覆い、励磁状態になる永久磁石の磁極の構造の模式図を示す。
【００１１】
３．永久磁石の磁極１０３の設置方式は、通電巻線１００によって励磁される異極性である個別磁極１０１の磁路１０２の間に永久磁石の磁極１０３を覆う。通電巻線１００の励磁極性と永久磁石の磁極１０３の極性関係は、励磁或いは減磁する電機特性である。図４に本実施形態を応用し、磁路の間で磁路の両端の異極性である通電巻線の励磁型個別磁極が励磁状態になっている永久磁石の磁極を覆う構造の斜視図を示す。
【００１２】
本実施形態の通電巻線により励磁される磁極によって永久磁石の磁極を覆う電機の各種構造形態は、直流或いは交流電気エネルギーの回転式電機やリニア電機での作動が可能で、ローター式ブラシ電機、ブラシレス電機、リングブラシ電機、シンクロ電機、アシンクロナス電機、正回転電機、電機の中間構造の回転式電機、逆回転電機、ダブルアクション電機、トリプルアクション電機、多層式電機、多リング電機、リニア電機、ブラシレス直流電機、インバーター電機構造で、発電機、電動機、発電機兼電動機機能電機、電磁効果を行う渦巻きカップリング伝動装置、電磁効果を行う渦巻き制動装置等の電機装置の機能として作動するものを含む。
【００１３】
本実施形態の通電巻線により励磁される磁極によって永久磁石の磁極を覆う電機の中で、磁路１０２と共同して永久磁石の磁極１０３の磁極１０１及び磁路１０２を覆い、シリコン鋼片または鋼或いは鉄等のよく使われる良好な磁気伝導性材料を使用し、一体構成或いは複数材料が重なり合って構成され、或いは、磁気伝導性材料の粉末冶金より構成されるものである。磁極１０１の極面は、電磁効果をインタラクトする別の電機構造体と向かい合い、磁極１０１の極面はニーズによって凹凸弧面形或いは平面形を選択する。また、更なるニーズによって溝、凹凸或いは特定の幾何形状を持つ極面を選択することも可能である。
【００１４】
本実施形態の通電巻線に励磁される磁極によって永久磁石の磁極を覆う電機は、通電巻線に励磁される個別磁極によって永久磁石の磁極を覆う革新的な設計で、永久磁石の磁極が振動により脱落することを避け、及び電機作動中に、逆方向励磁により磁力が弱くなることを避ける。
本実施形態の通電巻線に励磁される磁極によって永久磁石の磁極を覆う電機の電機形式への応用は下記を含む。
【００１５】
１．電機の内層構造及び電機の外層構造を持つシリンダー電機であって、電機の内層構造１１及び電機の外層構造１２より構成するものを含む。図５は、本実施形態をシリンダー電機へ応用し、機械外殻、ベアリング、ファスナー、クーリングブレード、選択設置する導電装置の主体構造以外の外形の分解斜視図を示す。
２．電機の内リング構造、電機の中リング構造、電機の外リング構造のセットで同軸作動を行う同軸三リング電機によって構成し、電機の内リング構造２１、電機の中リング構造２２、電機の外リング構造２３より構成するものを含む。図６は、本実施形態を同軸三リング電機へ応用し、機械外殻、ベアリング、ファスナー、クーリングブレード、選択設置する導電装置の主体構造以外の外形の分解斜視図を示す。
【００１６】
３．二層構造が重なって同軸作動を行う同軸二層式ディスク電機によって構成し、ディスク電機の内層構造３１及びディスク電機の外層構造３２より構成するものを含む。図７は、本実施形態を同軸二層式ディスク電機へ応用し、機械外殻、ベアリング、ファスナー、クーリングブレード、選択設置する導電装置の主体構造以外の外形の分解斜視図を示す。
【００１７】
４．電機の内層構造、電機の中層構造、電機の外層構造が重なって同軸作動を行う同軸三層式ディスク電機によって構成し、ディスク電機の内層構造４１、ディスク電機の中層構造４２、ディスク電機の外層構造４３より構成するものを含む。図８は、本実施形態を同軸三層式ディスク電機へ応用し、機械外殻、ベアリング、ファスナー、クーリングブレード、選択設置する導電装置の主体構造以外の外形の分解斜視図を示す。
【００１８】
５、リニア電機の二層構造によりリニアカップリングを行う二層式リニア電機によって構成し、リニア電機の内層構造５１、リニア電機の外層構造５２より構成するものを含む。図９は、本実施形態を二層式リニア電機へ応用し、機械外殻、ベアリング、ファスナー、クーリングブレード、選択設置する導電装置の主体構造以外の外形の分解斜視図を示す。
【００１９】
６、リニア電機の内層構造、電機の中層構造、電機の外層構造によりリニアカップリングを行う三層式リニア電機によって構成し、リニア電機の内層構造６１、リニア電機の中層構造６２、リニア電機の外層構造６３より構成するものを含む。図１０は、本実施形態を三層式リニア電機へ応用し、機械外殻、ベアリング、ファスナー、クーリングブレード、選択設置する導電装置の主体構造以外の外形の分解斜視図を示す。
【００２０】
下記に本実施形態の各種構造形態への応用例を示す。それには二ピース式シリンダー或いはディスク或いはリニア電機構造及び三ピース式同軸三リング電機、同軸三層式ディスク電機、三層式リニア電機構造によって構成されることを含む。当然ほかの二ピース式電機構造体によって電磁効果をインタラクトする電機構造、三ピース式電機構造によって電磁効果をインタラクトする電機構造、多ピースの電機構造も同じ道理に従って応用できるので、省略する。
【００２１】
図１１で本実施形態をシリンダー電機構造へ応用し、その中にある電機の内層構造と電磁カップリング効果を行う電機の外層構造は、電機の内層構造の電磁カップリング効果の面に向く。通電巻線の励磁型個別磁極と磁路との間に励磁状態になっている永久磁石の磁極を覆う構造の模式図を示す。
図１１にシリンダー電機構造を示す。その中にある電機の内層構造１１と電磁カップリング効果を行う電機の外層構造１２は、電機の内層構造１１の電磁カップリング効果の面に向く。通電巻線１００の励磁型個別磁極１０１と磁極磁路の中間に永久磁石の磁極１０３を設置する。或いは、個別磁極１０１と磁路１０２との間に励磁状態になっている永久磁石の磁極１０３を覆い、更に通電巻線により励磁される磁極１０１と磁路１０２との間に永久磁石の磁極１０３を覆うシリンダー電機である。
【００２２】
図１２で本実施形態をシリンダー電機構造への応用し、その中にある電機の外層構造と電磁カップリング効果を行う電機の内層構造は、電機の外層構造の電磁カップリング効果の面に向く。通電巻線の励磁型個別磁極と磁路との間に励磁状態になっている永久磁石の磁極を覆う構造の模式図を示す。
図１２にシリンダー電機構造を示す。その中にある電機の外層構造１２と電磁カップリング効果を行う電機の内層構造１１は、電機の外層構造１２の電磁カップリング効果の面に向く。通電巻線１００の励磁型個別磁極１０１と磁極磁路の中間に永久磁石の磁極１０３を設置する。或いは、個別磁極１０１と磁路１０２との間に励磁状態になっている永久磁石の磁極１０３を覆い、更に通電巻線により励磁される磁極１０１と磁路１０２との間に永久磁石の磁極１０３を覆うシリンダー電機である。
【００２３】
図１３で本実施形態を同軸三リング式電機構造へ応用し、その中にある電機の中リング構造と電磁カップリング効果を行う電機の外リング構造は、電機の中リング構造の電磁カップリング効果の面に向く。通電巻線の励磁型個別磁極と磁路との間に励磁状態になっている永久磁石の磁極を覆う構造の模式図を示す。
図１３に同軸三リング式電機構造を示す。その中にある電機の中リング構造２２と電磁カップリング効果を行う電機の外リング構造２３は、電機の中リング構造２２の電磁カップリング効果の面に向く。通電巻線の励磁型個別磁極１０１の磁極磁路の中間に永久磁石の磁極１０３を覆い、或いは、個別磁極１０１と磁路１０２との間で励磁状態になっている永久磁石の磁極１０３を覆い、電機の中リング構造２２と電磁効果をインタラクトする。電機の中リング構造２２と電機の内リング構造２１との間にある電機の構造形態は電磁効果特性のニーズに従って選定してよいが、更に通電巻線により励磁される磁極１０１と磁路１０２との間に励磁状態になっている永久磁石の磁極１０３を覆う同軸三リング式電機である。
【００２４】
図１４で本実施形態を同軸三リング式電機構造へ応用し、その中にある電機の外リング構造と電磁カップリング効果を行う電機の中リング構造は、電機の外リング構造の電磁カップリング効果の面に向く。通電巻線の励磁型個別磁極と磁路との間に励磁状態になっている永久磁石の磁極を覆う構造の模式図を示す。
図１４に同軸三リング式電機構造を示す。その中にある電機の外リング構造２３と電磁カップリング効果を行う電機の中リング構造２２は、電機の外リング構造２３の電磁カップリング効果の面に向く。通電巻線の励磁型個別磁極１０１の磁極磁路の中間に永久磁石の磁極１０３を覆い、或いは、個別磁極１０１と磁路１０２との間で励磁状態になっている永久磁石の磁極１０３を覆い、電機の外リング構造２３と電磁効果をインタラクトする。電機の中リング構造２２と電機の内リング構造２１との間にある電機の構造形態は電磁効果特性のニーズに従って選定してよいが、更に通電巻線により励磁される磁極１０１と磁路１０２との間に励磁状態になっている永久磁石の磁極１０３を覆う同軸三リング式電機である。
【００２５】
図１５で本実施形態を同軸三リング式電機構造へ応用し、その中にある電機の内リング構造と電磁カップリング効果を行う電機の中リング構造は、電機の内リング構造の電磁カップリング効果の面に向く。通電巻線の励磁型個別磁極と磁路との間に励磁状態になっている永久磁石の磁極を覆う構造の模式図を示す。
図１５に同軸三リング式電機構造を示す。その中にある電機の内リング構造２１と電磁カップリング効果を行う電機の中リング構造２２は、電機の内リング構造２１の電磁カップリング効果の面に向く。通電巻線の励磁型個別磁極１０１の磁極磁路の中間に永久磁石の磁極１０３を覆い、或いは、個別磁極１０１と磁路１０２との間で励磁状態になっている永久磁石の磁極１０３を覆い、電機の内リング構造２１と電磁効果をインタラクトする。電機の中リング構造２２と電機の外リング構造２３との間にある電機の構造形態は電磁効果特性のニーズに従って選定してよいが、更に通電巻線により励磁される磁極１０１と磁路１０２との間に励磁状態になっている永久磁石の磁極１０３を覆う同軸三リング式電機である。
【００２６】
図１６で本実施形態を同軸三リング式電機構造へ応用し、その中にある電機の内リング構造は、電機の中リング構造の電磁カップリング効果の面に向く。通電巻線の励磁型個別磁極と磁路との間に励磁状態になっている永久磁石の磁極を覆う構造の模式図を示す。
図１６に同軸三リング式電機構造を示す。その中にある電機の中リング構造２２と電磁カップリング効果を行う電機の内リング構造２１は、電機の中リング構造２２の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、電機の中リング構造２２と電磁効果をインタラクトする。電機の中リング構造２２と電機の外リング構造２３との間にある電機の構造形態は電磁効果特性のニーズに従って選定してよいが、更に通電巻線により励磁される磁極１０１と磁路１０２との間に励磁状態になっている永久磁石の磁極１０３を覆う同軸三リング式電機である。
【００２７】
図１７で本実施形態を同軸三リング式電機構造へ応用し、その中にある電機の内リング構造は、電機の中リング構造の電磁カップリング効果の面に向き、及び電機の中リング構造は、電機の外リング構造の電磁カップリング効果の面に向く。両方にある通電巻線の励磁型個別磁極と磁路との間に励磁状態になっている永久磁石の磁極を覆う構造の模式図を示す。
【００２８】
図１７に同軸三リング式電機構造を示す。その中にある電機の内リング構造２１は、電機の中リング構造２２の電磁カップリング効果の面に向き、及び電機の中リング構造２２は、電機の外リング構造２３の電磁カップリング効果の面に向く。両方にある通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う同軸三リング式電機である。
【００２９】
図１８で本実施形態を同軸三リング式電機構造へ応用し、その中にある電機の外リング構造は、電機の中リング構造の電磁カップリング効果の面に向き、及び電機の中リング構造は、電機の内リング構造の電磁カップリング効果の面に向く。両方にある通電巻線の励磁型個別磁極と磁路との間に励磁状態になっている永久磁石の磁極を覆う構造の模式図を示す。
【００３０】
図１８に同軸三リング式電機構造を示す。その中にある電機の外リング構造２３は、電機の中リング構造２２の電磁カップリング効果の面に向き、及び電機の中リング構造２２は、電機の内リング構造２１の電磁カップリング効果の面に向く。両方にある通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う同軸三リング式電機である。
【００３１】
図１９で本実施形態を同軸三リング式電機構造へ応用し、その中にある電機の外リング構造は、電機の中リング構造の電磁カップリング効果の面に向き、及び電機の内リング構造は、電機の中リング構造の電磁カップリング効果の面に向く。両方にある通電巻線の励磁型個別磁極と磁路との間に励磁状態になっている永久磁石の磁極を覆う構造の模式図を示す。
【００３２】
図１９に同軸三リング式電機構造を示す。その中にある電機の外リング構造２３は、電機の中リング構造２２の電磁カップリング効果の面に向き、及び電機の内リング構造２１は、電機の中リング構造２２の電磁カップリング効果の面に向く。両方にある通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う同軸三リング式電機である。
【００３３】
図２０で本実施形態を同軸三リング式電機構造へ応用し、その中にある電機の外リング構造及び電機の内リング構造と電磁カップリング効果を行う電機の中リング構造は、電機の外リング構造及び電機の内リング構造の電磁カップリング効果の面に向く。通電巻線の励磁型個別磁極と磁路との間に励磁状態になっている永久磁石を覆う磁極の構造の模式図を示す。
【００３４】
図２０に同軸三リング式電機構造を示す。その中にある電機の外リング構造２３及び電機の内リング構造２１と電磁カップリング効果を行う電機の中リング構造２２は、電機の外リング構造２３及び電機の内リング構造２１の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う同軸三リング式電機である。
【００３５】
図２１で本実施形態を同軸三リング式電機構造へ応用し、その中にある電機の内リング構造及び電機の外リング構造と電磁カップリング効果を行う電機の中リング構造は、磁気伝導体で電機の内リング構造及び電機の外リング構造と両側でカップリングを行う永久磁石の磁極を覆うことによって、磁極を構成し、また、永久磁石の磁極に励磁状態になっている通電励磁巻線を巻付ける構造の模式図を示す。
【００３６】
図２１に同軸三リング式電機構造を示す。その中にある電機の内リング構造２１及び電機の外リング構造２３と電磁カップリング効果を行う電機の中リング構造２２より磁気伝導体で永久磁石の磁極１０３を覆うことによって、磁極を構成する。永久磁石の磁極１０３両端の磁極は、別々に電機の内リング構造２１及び電機の外リング構造２３の両側でカップリングを行い、電磁効果をインタラクトする。また、永久磁石の磁極１０３に通電励磁巻線１００を巻付け、更に永久磁石の磁極１０３に励磁状態になっている巻線を巻付ける同軸三リング式電機である。
【００３７】
図２２で本実施形態を二層式ディスク電機構造へ応用し、その中にあるディスク電機の外層構造の電磁カップリング効果の面に設置する通電巻線の励磁型個別磁極は、磁路との間に励磁状態になっている永久磁石の磁極を覆う構造の模式図を示す。
図２２に二層式ディスク電機構造を示す。その中にあるディスク電機の内層構造３１は、ディスク電機の外層構造３２の電磁カップリング効果の面に向く。通電巻線に励磁される個別磁極１０１の磁極磁路の中に永久磁石の磁極１０３を覆う。或いは、個別磁極１０１と磁路１０２との間に励磁状態である永久磁石の磁極１０３を取り囲み、ディスク電機の外層構造３２と電磁効果をインタラクトする。或いは、ディスク電機の外層構造３２は、ディスク電機の内層構造３１の電磁カップリング効果の面に向く。通電巻線に励磁される個別磁極１０１の磁極磁路の中に永久磁石の磁極１０３を覆う。或いは、個別磁極１０１と磁路１０２との間に励磁状態である永久磁石の磁極１０３を取り囲み、ディスク電機の内層構造３１と電磁効果をインタラクトする。更に通電巻線に励磁される磁極１０１と磁路１０２との間に励磁状態である永久磁石の磁極１０３を覆う同軸二層式ディスク電機である。
【００３８】
図２３で本実施形態を同軸三層式ディスク電機構造へ応用し、その中にあるディスク電機の内層構造は、ディスク電機の中層構造の電磁カップリング効果の面に向く。通電巻線の励磁型個別磁極と磁路との間に励磁状態になっている永久磁石の磁極を覆う構造の模式図を示す。
図２３に同軸三層式ディスク電機構造を示す。その中にあるディスク電機の内層構造４１は、ディスク電機の中層構造４２の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、ディスク電機の中層構造４２と電磁効果をインタラクトする。ディスク電機の中層構造４２とディスク電機の外層構造４３との間にある電機の構造形態は電磁効果特性のニーズに従って選定してよいが、更に通電巻線により励磁される磁極１０１と磁路１０２との間に励磁状態になっている永久磁石の磁極１０３を覆う三層式ディスク電機である。
【００３９】
図２４で本実施形態を同軸三層式ディスク電機構造へ応用し、その中にあるディスク電機の中層構造は、ディスク電機の内層構造の電磁カップリング効果の面に向く。通電巻線の励磁型個別磁極と磁路との間に励磁状態になっている永久磁石の磁極を覆う構造の模式図を示す。
図２４に同軸三層式ディスク電機構造を示す。その中にあるディスク電機の中層構造４２は、ディスク電機の内層構造４１の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、ディスク電機の内層構造４１と電磁効果をインタラクトする。ディスク電機の中層構造４２とディスク電機の外層構造４３との間にある電機の構造形態は電磁効果特性のニーズに従って選定してよいが、更に通電巻線により励磁される磁極１０１と磁路１０２との間に励磁状態になっている永久磁石の磁極１０３を覆う三層式ディスク電機である。
【００４０】
図２５で本実施形態を同軸三層式ディスク電機構造へ応用し、その中にあるディスク電機の外層構造は、ディスク電機の中層構造の電磁カップリング効果の面に向く。通電巻線の励磁型個別磁極と磁路との間に励磁状態になっている永久磁石の磁極を覆う構造の模式図を示す。
図２５に同軸三層式ディスク電機構造を示す。その中にあるディスク電機の外層構造４３は、ディスク電機の中層構造４２の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、ディスク電機の中層構造４２と電磁効果をインタラクトする。ディスク電機の中層構造４２とディスク電機の内層構造４１との間にある電機の構造形態は電磁効果特性のニーズに従って選定してよいが、更に通電巻線により励磁される磁極１０１と磁路１０２との間に励磁状態になっている永久磁石の磁極１０３を覆う三層式ディスク電機である。
【００４１】
図２６で本実施形態を同軸三層式ディスク電機構造へ応用し、その中にあるディスク電機の中層構造は、ディスク電機の外層構造の電磁カップリング効果の面に向く。通電巻線の励磁型個別磁極と磁路との間に励磁状態になっている永久磁石の磁極を覆う構造の模式図を示す。
図２６に同軸三層式ディスク電機構造を示す。その中にあるディスク電機の中層構造４２は、ディスク電機の外層構造４３の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、ディスク電機の外層構造４３と電磁効果をインタラクトする。ディスク電機の中層構造４２とディスク電機の内層構造４１との間にある電機の構造形態は電磁効果特性のニーズに従って選定してよいが、更に通電巻線により励磁される磁極１０１と磁路１０２との間に励磁状態になっている永久磁石の磁極１０３を覆う三層式ディスク電機である。
【００４２】
図２７で本実施形態を同軸三層式ディスク電機構造へ応用し、その中にあるディスク電機の内層構造は、ディスク電機の中層構造の電磁カップリング効果の面に向き、及びディスク電機の中層構造は、ディスク電機の外層構造の電磁カップリング効果の面に向く。両方にある通電巻線の励磁型個別磁極と磁路との間に励磁状態になっている永久磁石の磁極を覆う構造の模式図を示す。
【００４３】
図２７に同軸三層式ディスク電機構造を示す。その中にあるディスク電機の内層構造４１は、ディスク電機の中層構造４２の電磁カップリング効果の面に向き、及びディスク電機の中層構造４２は、ディスク電機の外層構造４３の電磁カップリング効果の面に向く。両方にある通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う三層式ディスク電機である。
【００４４】
図２８で本実施形態を同軸三層式ディスク電機構造へ応用し、その中にあるディスク電機の外層構造は、ディスク電機の中層構造の電磁カップリング効果の面に向き、及びディスク電機の中層構造は、ディスク電機の内層構造の電磁カップリング効果の面に向く。両方にある通電巻線の励磁型個別磁極と磁路との間に励磁状態になっている永久磁石の磁極を覆う構造の模式図を示す。
【００４５】
図２８に同軸三層式ディスク電機構造を示す。その中にあるディスク電機の外層構造４３は、ディスク電機の中層構造４２の電磁カップリング効果の面に向き、及びディスク電機の中層構造４２は、ディスク電機の内層構造４１の電磁カップリング効果の面に向く。両方にある通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う三層式ディスク電機である。
【００４６】
図２９で本実施形態を同軸三層式ディスク電機構造へ応用し、その中にあるディスク電機の内層構造及びディスク電機の外層構造の両方は、ディスク電機の中層構造と電磁カップリング効果を行う電磁カップリング効果の面に向く。通電巻線の励磁型個別磁極と磁路との間に励磁状態になっている永久磁石の磁極を覆う構造の模式図を示す。
図２９に同軸三層式ディスク電機構造を示す。その中にあるディスク電機の内層構造４１及びディスク電機の外層構造４３の両方は、ディスク電機の中層構造４２と電磁カップリング効果を行う電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、ディスク電機の中層構造４２と電磁効果をインタラクトする。更に通電巻線により励磁される磁極１０１と磁路１０２との間に励磁状態になっている永久磁石の磁極１０３を覆う三層式ディスク電機である。
【００４７】
図３０で本実施形態を同軸三層式ディスク電機構造へ応用し、その中にあるディスク電機の中層構造は、ディスク電機の内層構造及びディスク電機の外層構造の電磁カップリング効果の面に向く。両側に通電巻線の励磁型個別磁極と磁路との間に励磁状態になっている永久磁石の磁極を覆う構造の模式図を示す。
図３０に同軸三層式ディスク電機構造を示す。その中にあるディスク電機の中層構造４２は、ディスク電機の内層構造４１及びディスク電機の外層構造４３の電磁カップリング効果の面に向く。両側に電磁カップリング効果の通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、ディスク電機の内層構造４１及びディスク電機の外層構造４３と電磁効果をインタラクトする。更に通電巻線により励磁される磁極１０１と磁路１０２との間に励磁状態になっている永久磁石の磁極１０３を覆う三層式ディスク電機である。
【００４８】
図３１で本実施形態を同軸三層式ディスク電機構造へ応用し、その中にあるディスク電機の内層構造及びディスク電機の外層構造と電磁カップリング効果を行うディスク電機の中層構造に磁気伝導体によってディスク電機の内層構造及びディスク電機の外層構造の両側とカップリングする永久磁石の磁極を覆うことによって、磁極を構成し、永久磁石の磁極に励磁状態になっている通電励磁巻線を巻付ける構造の模式図を示す。
【００４９】
図３１に同軸三層式ディスク電機構造を示す。その中にあるディスク電機の内層構造４１及びディスク電機の外層構造４３と電磁カップリング効果を行うディスク電機の中層構造４２に磁気伝導体で永久磁石の磁極１０３を覆うことによって、磁極を構成する。永久磁石の磁極１０３に通電励磁巻線１００を巻付け、永久磁石の磁極１０３両端の磁極は別々にディスク電機の内層構造４１及びディスク電機の外層構造４３の両側でカップリングを行う電磁効果をインタラクトし、更に永久磁石の磁極に励磁状態になっている巻線を巻付ける同軸三層式ディスク電機である。
【００５０】
図３２で本実施形態を二層式リニア電機構造へ応用し、その中にあるリニア電機の内層構造の電磁カップリング効果の面に向く。通電巻線の励磁型個別磁極と磁路との間に励磁状態になっている永久磁石の磁極を覆う二層式リニア電機の構造の模式図を示す。
図３２に二層式リニア電機構造を示す。その中にあるリニア電機の内層構造５１は、リニア電機の外層構造５２の電磁カップリング効果の面に向く。通電巻線に励磁される個別磁極１０１を設置し、磁極磁路の中で永久磁石の磁極１０３を覆う。或いは、個別磁極１０１と磁路１０２との間に励磁状態である永久磁石の磁極１０３を取り囲み、リニア電機の外層構造５２と電磁効果をインタラクトする。或いは、リニア電機の外層構造５２は、リニア電機の内層構造５１の電磁カップリング効果の面に向く。通電巻線に励磁される個別磁極１０１を設置し、磁極磁路の中で永久磁石の磁極１０３を取り囲む。或いは、個別磁極１０１と磁路との間に励磁状態である永久磁石の磁極１０３を取り囲み、リニア電機の内層構造５１と電磁効果をインタラクトする。更に通電巻線に励磁される磁極１０１と磁路１０２との間に励磁状態である永久磁石の磁極１０３を覆う二層式リニア電機である。また、通電巻線に励磁される磁極１０１と磁路１０２との間に励磁状態である永久磁石の磁極１０３を覆う二層式リニア電機である。
【００５１】
図３３で本実施形態を三層式リニア電機構造へ応用し、その中にあるリニア電機の内層構造は、リニア電機の中層構造の電磁カップリング効果の面に向く。通電巻線の励磁型個別磁極と磁路との間に励磁状態になっている永久磁石を覆う磁極構造の模式図を示す。
図３３に三層式リニア電機構造を示す。その中にあるリニア電機の内層構造６１は、リニア電機の中層構造６２の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、リニア電機の中層構造６２と電磁効果をインタラクトする。リニア電機の中層構造６２とリニア電機の外層構造６３との間にある電機の構造形態は電磁効果特性のニーズに従って選定してよいが、更に通電巻線により励磁される磁極１０１と磁路１０２との間に励磁状態になっている永久磁石の磁極１０３を覆う三層式リニア電機である。
【００５２】
図３４で本実施形態を三層式リニア電機構造へ応用し、その中にあるリニア電機の中層構造は、リニア電機の内層構造の電磁カップリング効果の面に向く。通電巻線の励磁型個別磁極と磁路との間に励磁状態になっている永久磁石を覆う磁極構造の模式図を示す。
図３４に三層式リニア電機構造を示す。その中にあるリニア電機の中層構造６２は、リニア電機の内層構造６１の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、リニア電機の内層構造６１と電磁効果をインタラクトする。リニア電機の中層構造６２とリニア電機の外層構造６３との間にある電機の構造形態は電磁効果特性のニーズに従って選定してよいが、更に通電巻線により励磁される磁極１０１と磁路１０２との間に励磁状態になっている永久磁石の磁極１０３を覆う三層式リニア電機である。
【００５３】
図３５で本実施形態を三層式リニア電機構造へ応用し、その中にあるリニア電機の外層構造は、リニア電機の中層構造の電磁カップリング効果の面に向く。通電巻線の励磁型個別磁極と磁路との間に励磁状態になっている永久磁石を覆う磁極構造の模式図を示す。
図３５に三層式リニア電機構造を示す。その中にあるリニア電機の外層構造６３は、リニア電機の中層構造６２の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、リニア電機の中層構造６２と電磁効果をインタラクトする。リニア電機の中層構造６２とリニア電機の内層構造６１との間にある電機の構造形態は電磁効果特性のニーズに従って選定してよいが、更に通電巻線により励磁される磁極１０１と磁路１０２との間に励磁状態になっている永久磁石の磁極１０３を覆う三層式リニア電機である。
【００５４】
図３６で本実施形態を三層式リニア電機構造へ応用し、その中にあるリニア電機の中層構造は、リニア電機の外層構造の電磁カップリング効果の面に向く。通電巻線の励磁型個別磁極と磁路との間に励磁状態になっている永久磁石を覆う磁極構造の模式図を示す。
図３６に三層式リニア電機構造を示す。その中にあるリニア電機の中層構造６２は、リニア電機の外層構造６３の電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、リニア電機の外層構造６３と電磁効果をインタラクトする。リニア電機の中層構造６２とリニア電機の内層構造６１との間にある電機の構造形態は電磁効果特性のニーズに従って選定してよいが、更に通電巻線により励磁される磁極１０１と磁路１０２との間に励磁状態になっている永久磁石の磁極１０３を覆う三層式リニア電機である。
【００５５】
図３７で本実施形態を三層式リニア電機構造へ応用し、その中にあるリニア電機の中層構造は、リニア電機の外層構造の電磁カップリング効果の面に向き、及びリニア電機の内層構造は、リニア電機の中層構造の電磁カップリング効果の面に向く。両方にある通電巻線の励磁型個別磁極と磁路との間に励磁状態になっている永久磁石の磁極を覆う構造の模式図を示す。
【００５６】
図３７に三層式リニア電機構造を示す。その中にあるリニア電機の中層構造６２は、リニア電機の外層構造６３の電磁カップリング効果の面に向き、及びリニア電機の内層構造６１は、リニア電機の中層構造６２の電磁カップリング効果の面に向く。両方にある通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う三層式リニア電機である。
【００５７】
図３８で本実施形態を三層式リニア電機構造へ応用し、その中にあるリニア電機の中層構造は、リニア電機の内層構造の電磁カップリング効果の面に向き、及びリニア電機の外層構造は、リニア電機の中層構造の電磁カップリング効果の面に向く。両方にある通電巻線の励磁型個別磁極と磁路との間に励磁状態になっている永久磁石の磁極を覆う構造の模式図を示す。
【００５８】
図３８に三層式リニア電機構造を示す。その中にあるリニア電機の中層構造６２は、リニア電機の内層構造６１の電磁カップリング効果の面に向き、及びリニア電機の外層構造６３は、リニア電機の中層構造６２の電磁カップリング効果の面に向く。両方にある通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆う。更に通電巻線により励磁される磁極１０１と磁路１０２との間に励磁状態になっている永久磁石の磁極１０３を覆う三層式リニア電機である。
【００５９】
図３９で本実施形態を三層式リニア電機構造へ応用し、その中にあるリニア電機の内層構造及びリニア電機の外層構造の両方は、リニア電機の中層構造と電磁カップリング効果を行う電磁カップリング効果の面に向く。通電巻線の励磁型個別磁極と磁路との間に励磁状態になっている永久磁石の磁極を覆う構造の模式図を示す。
図３９に三層式リニア電機構造を示す。その中にあるリニア電機の内層構造６１及びリニア電機の外層構造６３の両方は、リニア電機の中層構造６２と電磁カップリング効果を行う電磁カップリング効果の面に向く。通電巻線の励磁型個別磁極１０１の磁極磁路の中間に永久磁石の磁極１０３を覆い、或いは、個別磁極１０１と磁路１０２との間に励磁状態になっている永久磁石の磁極１０３を覆い、リニア電機の中層構造６２と電磁効果をインタラクトする。更に通電巻線により励磁される磁極１０１と磁路１０２との間に励磁状態になっている永久磁石の磁極１０３を覆う三層式リニア電機である。
【００６０】
図４０で本実施形態を三層式リニア電機構造へ応用し、その中にあるリニア電機の内層構造及びリニア電機の外層構造に電磁カップリング効果を行うリニア電機の中層構造は、その両側にある電磁カップリング効果の面に通電巻線の励磁型個別磁極を設置し、磁路との間に励磁状態になっている永久磁石の磁極を覆う構造の模式図を示す。
図４０に三層式リニア電機構造を示す。その中にあるリニア電機の内層構造６１及びリニア電機の外層構造６３に電磁カップリング効果を行うリニア電機の中層構造６２は、その両側にある電磁カップリング効果の面に通電巻線の励磁型個別磁極１０１の磁極を設置し、磁路との中間に永久磁石の磁極１０３を覆う。或いは、個別磁極１０１と磁路１０２との間に励磁状態になっている永久磁石の磁極１０３を覆い、リニア電機の内層構造６１及びリニア電機の外層構造６３と電磁効果をインタラクトする。更に通電巻線により励磁される磁極１０１と磁路１０２との間に励磁状態になっている永久磁石の磁極１０３を覆う三層式リニア電機である。
【００６１】
図４１で本実施形態を三層式リニア電機構造へ応用し、その中にあるリニア電機の内層構造及びリニア電機の外層構造と電磁カップリング効果を行うリニア電機の中層構造に磁気伝導体によってリニア電機の内層構造及びリニア電機の外層構造の両側とカップリングする永久磁石の磁極を覆うことによって、磁極を構成し、永久磁石の磁極に励磁状態になっている通電励磁巻線を巻付ける構造の模式図を示す。
【００６２】
図４１に三層式リニア電機構造を示す。その中にあるリニア電機の内層構造６１及びリニア電機の外層構造６３と電磁カップリング効果を行うリニア電機の中層構造６２に磁気伝導体で永久磁石の磁極１０３を覆うことによって、磁極を構成する。永久磁石の磁極１０３に通電励磁巻線１００を巻付け、永久磁石の磁極１０３両端の磁極は別々にリニア電機の外層構造６３及びリニア電機の内層構造６１の両側でカップリングを行う電磁効果をインタラクトし、更に永久磁石の磁極に励磁状態になっている巻線を巻付ける三層式リニア電機である。
【００６３】
上記図１１から図４１で述べた永久磁石の磁極１０３と通電励磁巻線の設置位置は、同軸三層式リング状電機構造体、同軸三層式ディスク電機構造体、三層式リニア電機構造体、ほかの三ピースの電機構造体と電磁効果をインタラクトする中間電機構造体を含む。
永久磁石の磁極１０３及び通電励磁巻線１００の中間にある電機構造体は、電機の静止部或いは導電ブラシ、導電リング、導電片を選択し、電機の可動部として配置可能である。
【００６４】
上記図１１から図４１で述べた実施形態では、各電機構造の電磁カップリング効果の面に設置する磁極の極数は、ニーズに従って同極数或いは異極数の選択が可能である。
上記図１１から図４１で述べた通電巻線の励磁型個別磁極１０１と磁路１０２との間に覆われる永久磁石の磁極１０３は、ニーズに従って異極性の通電巻線の励磁型個別磁極１０１の間にある磁路１０２の中間に選択設置することができ、永久磁石の磁極１０３を覆う。
【００６５】
本実施形態の通電巻線に励磁される磁極によって永久磁石の磁極を覆う電機は、更に二層式シリンダー電機構造、同軸三リング電機構造、二層式ディスク電機構造、同軸三層式ディスク電機構造、二層式リニア電機構造、三層式リニア電機構造に通電巻線１００の磁極１０１と磁極間の磁路１０２によって永久磁石の磁極を覆う。また、永久磁石の磁極の二つの異極性磁極の間に片側或いは片側以上に磁気伝導性材料より構成する磁路を形成することにより、永久磁石の磁極１０３にある二つの異極性磁極の間をカバーする。永久磁石の磁極が少なくとも片側或いは全面的に磁気伝導性材料に覆われることにより、一部の磁力線を通過させ、かつ永久磁石の磁極１０３は磁路１０２によって通電巻線１００の磁極１０１の極面にある程度の磁場強度を形成する。電機作動中、もし永久磁石の磁極１０３が逆方向へ励磁されるとき、永久磁石の磁極１０３にある二つの異極性である磁極の間に閉磁路が保たれ、磁力線が持続維持されることによって、逆方向防止の励磁特性を増強する機能がある。下記に例を挙げて説明する。
【００６６】
図４２は、本実施形態のシリンダー電機構造の外層構造への応用である。通電巻線の異極性磁極の磁路に永久磁石の磁極が少なくとも片側に磁気伝導性磁路によって覆われる実施形態の斜視図である。
図４２は、本実施形態のシリンダー電機構造の外層構造への応用である。通電巻線１００の異極性磁極１０１の間にある磁路１０２に永久磁石の磁極１０３が少なくとも片側に磁気伝導性磁路によって覆われる。通電巻線１００に励磁される通電巻線の磁極１０１の極性は、励磁や減磁する電機効果を呈する。本実施形態のシリンダー電機構造の外層構造を同軸三リング電機構造の外リング構造にすることも可能である。
【００６７】
図４３は、本実施形態のシリンダー電機構造の内層構造への応用である。通電巻線の異極性磁極の磁路に永久磁石の磁極が少なくとも片側に磁気伝導性磁路によって覆われる実施形態の斜視図である。
図４３は、本実施形態のシリンダー電機構造の内層構造への応用である。通電巻線１００の異極性磁極１０１の間にある磁路１０２に永久磁石の磁極１０３が少なくとも片側に磁気伝導性磁路によって覆われる。通電巻線１００に励磁される通電巻線の磁極１０１の極性は、励磁や減磁する電機効果を呈する。本実施形態のシリンダー電機構造の外層構造を同軸三リング電機構造の外リング構造にすることも可能である。
【００６８】
図４４は、本実施形態の同軸三リング電機構造への応用である。内外側の磁極に通電巻線の中リング電機構造を設け、また、通電巻線の異極性磁極の間にある磁路に永久磁石の磁極が少なくとも片側に磁気伝導性磁路によって覆われる実施形態の斜視図である。
図４４は、本実施形態の同軸三リング電機構造への応用である。内外側の磁極１０１に通電巻線１００の中リング電機構造を設け、また、通電巻線１００の異極性磁極１０１の間にある磁路１０２に永久磁石の磁極１０３が少なくとも片側に磁気伝導性磁路によって覆われる。通電巻線１００に励磁される通電巻線の磁極１０１の極性は、励磁や減磁する電機効果を呈する。
【００６９】
図４５は、本実施形態のディスク電機構造への応用である。通電巻線の異極性磁極の間にある磁路に永久磁石の磁極が少なくとも片側に磁気伝導性磁路によって覆われる実施形態の斜視図である。
図４５は、本実施形態のディスク電機構造への応用である。通電巻線１００の異極性磁極１０１の間にある磁路１０２に永久磁石の磁極１０３が少なくとも片側に磁気伝導性磁路によって覆われる。通電巻線１００に励磁される通電巻線の磁極１０１の極性は、励磁や減磁する電機効果を呈する。本実施形態のディスク電機構造を二層式ディスク電機構造の内層構造や外層構造と同軸三層式ディスク電機構造の内層構造や外層構造にすることも可能である。
【００７０】
図４６は、本実施形態の同軸三層式ディスク電機構造への応用である。内外側の磁極に通電巻線のディスク電機の中層構造を設け、また、通電巻線の異極性磁極の間にある磁路に永久磁石の磁極が少なくとも片側に磁気伝導性磁路によって覆われる実施形態の斜視図である。
図４６は、本実施形態の同軸三層式ディスク電機構造への応用である。内外側の磁極１０１に通電巻線１００のディスク電機の中層構造を設け、また、通電巻線１００の異極性磁極１０１の間にある磁路１０２に永久磁石の磁極１０３が少なくとも片側に磁気伝導性磁路によって覆われる。通電巻線１００に励磁される通電巻線の磁極１０１の極性は、励磁や減磁する電機効果を呈する。
【００７１】
図４７は、本実施形態のリニア電機構造への応用である。通電巻線の異極性磁極の間にある磁路に永久磁石の磁極が少なくとも片側に磁気伝導性磁路によって覆われる実施形態の斜視図である。
図４７は、本実施形態のリニア電機構造への応用である。通電巻線１００の異極性磁極１０１の間にある磁路１０２に永久磁石の磁極１０３が少なくとも片側に磁気伝導性磁路によって覆われる。通電巻線１００に励磁される通電巻線の磁極１０１の極性は、励磁や減磁する電機効果を呈する。本実施形態のリニア電機構造を二層式リニア電機構造の内層構造や外層構造と同軸三層式リニア電機構造の内層構造や外層構造にすることも可能である。
【００７２】
図４８は本実施形態の三層式リニア電機構造への応用である。両側の磁極に通電巻線のリニア電機の中層構造を設け、更に通電巻線の異極性磁極の間にある磁路に永久磁石の磁極が少なくとも片側に磁気伝導性磁路によって覆われる実施形態の斜視図である。
図４８は、本実施形態の三層式リニア電機構造への応用である。両側の磁極１０１に通電巻線１００のリニア電機の中層構造を設け、通電巻線１００の異極性磁極１０１の間にある磁路１０２に永久磁石の磁極１０３が少なくとも片側に磁気伝導性磁路によって覆われる。通電巻線１００に励磁される通電巻線の磁極１０１の極性は、励磁や減磁する電機効果を呈する。
【００７３】
上記図１１から図４８で述べた実施形態の中で、個別磁極１０１に設置する通電巻線１００への励磁電気エネルギーの入力方式は下記を含む。
通電巻線の励磁型個別磁極の電機パーツが可動部である場合は、導電リングと導電ブラシを通して励磁電気エネルギーを入力してよい。
或いは、通電巻線の励磁型個別磁極の電機パーツが静止部である場合は、励磁巻線に対して直接送電できる。
【００７４】
本実施形態の通電巻線に励磁される磁極によって永久磁石の磁極を覆う電機の構造を二個の電磁効果をインタラクトする電機パーツのシリンダー電機、二層式ディスク電機、二層式リニア電機へ応用し、発電機、電動機、発電機兼電動機、電磁カップリング効果を行う渦巻き伝動、電磁効果を行う渦巻き制動等の機能をインタラクトする電機パーツを含む。その作動形態は下記を含む。
【００７５】
（１）その中で一個の電機パーツを電機の静止部とし、もう一個の電機パーツを電機の可動部とする。
（２）或いは、両方の電機パーツを全て電機の可動部とする。
本実施形態の通電巻線に励磁される磁極によって永久磁石の磁極を覆う電機の構造を三個の電磁効果をインタラクトする電機パーツの同軸三リング電機、同軸三層式ディスク電機、三層式リニア電機、その他三ピースの電機構造体より電磁効果をインタラクトする電機構造へ応用し、発電機、電動機、発電機兼電動機機能電機、電磁効果を行う渦巻きカップリング伝動装置、電磁効果を行う渦巻き制動装置等の電機装置の機能として作動する三個のインタラクトする電機パーツを含む。その作動形態は下記を含む。
【００７６】
（１）その中で一個の電磁パーツを電機の静止部とし、残りの二個の電磁パーツを電機の可動部とする。
（２）或いは、その中で二個の電磁パーツを電機の静止部とし、残りの一個の電磁パーツを電機の可動部とする。
（３）或いは、三個の電磁パーツを全て電機の可動部とする
本実施形態の通電巻線に励磁される磁極によって永久磁石の磁極を覆う電機は、上記図２から図４８で述べた実施形態の如く、通電巻線に励磁される個別磁極によって覆われる永久磁石の磁極の電機パーツ及び電磁カップリング効果をインタラクトする別の電機パーツを設け、電機構造と巻線の選択と設置方式は電機全体の属性、入力する電気エネルギーの性質、制御機能、制御様式及び出力性能のニーズにより選定する。
【００７７】
本実施形態の通電巻線に励磁される磁極によって永久磁石の磁極を覆う電機は、電磁効果をインタラクトする特性及び取り付けた磁極極数の選択に従って、構成する電機全体は直流や交流電気エネルギーで作動するロータリー電機やリニア電機を始め、ローター式ブラシ電機、ブラシレス電機、リングブラシ電機、シンクロ電機、アシンクロナス電機、正回転電機、電機の中間構造の回転式電機、逆回転電機、ダブルアクション電機、トリプルアクション電機、多層式電機、多リング電機、リニア電機、ブラシレス直流電機、インバーター電機構造で、発電機、電動機、発電機兼電動機機能電機、電磁効果を行う渦巻きカップリング伝動装置、電磁効果を行う渦巻き制動装置等の電機装置の機能として作動するものを含む。
【００７８】
本実施形態の通電巻線に励磁される磁極によって永久磁石の磁極を覆う電機の永久磁石の磁極１０３を覆う方式は、ファスナーで固定或いは挟み固定、ネジや袋ナットで固定、リベットで固定、ピンと穴構造で固定、ぴったりした寸法及び選定した幾何形状に合わせて嵌め込み固定、磁路構造で挟み圧迫、機械外殻で挟み圧迫、専用部材で挟み圧迫、接着材料で接着する等の方式で永久磁石の磁極１０３を覆い、或いは、その他永久磁石の磁極１０３等によく使われる固定方式を含む。
【００７９】
本実施形態の通電巻線に励磁される磁極によって永久磁石の磁極を覆う電機の永久磁石の磁極１０３を覆う方式は、通電巻線１００の磁極１０１と磁路１０２を結合させてから、磁極１０１或いは磁路１０２の永久磁石の磁極１０３の二つの異極性磁極の間に少なくとも片側や片側以上に磁気伝導性材料より構成する磁路を形成する。永久磁石の磁極１０３の二つの異極性磁極を片側や複数側に並列して全面的に覆うことにより、元強度のある程度の磁力線を通過させ、かつ永久磁石の磁極１０３は磁極１０１の極面に永久磁石の磁極１０３の一部の磁場強度を形成する。      
【００８０】
本実施形態の通電巻線に励磁される磁極によって永久磁石の磁極を覆う電機は、永久磁石の磁極１０３が異極性磁極の間に磁気伝導性材料より構成する磁路を並列してまた覆うことにより、一部の磁力線を通過させる。その目的は、電機作動中、もし永久磁石の磁極１０３が逆方向へ励磁されるとき、永久磁石の磁極１０３にある二つの異極性の磁極の間に閉磁路が保たれ、磁力線が持続維持されることによって、逆方向防止の励磁特性を増強する機能がある。
【００８１】
各種の実施形態について、下記に例を挙げて説明する。
図４９は、本実施形態のシリンダー電機構造の外層構造への応用である。通電巻線の磁極が極面に近接したところに永久磁石の磁極を入れる横向きの槽穴を設置する模式図を示す。
図４９は、本実施形態のシリンダー電機構造の外層構造への応用である。通電巻線１００の磁極１０１が電磁カップリング効果の面の辺縁に横向きの槽穴を設置し、横向きの槽穴は線形、弧形、特定の幾何形状、電磁カップリング効果の面に沿って平行する形状であってよいが、中に相対形状の永久磁石の磁極１０３を設置する。かつ通電巻線１００の励磁された磁極の極性は、励磁や減磁する電機効果を呈する。
【００８２】
図５０は、本実施形態のシリンダー電機構造の内層構造への応用である。通電巻線の磁極が極面に近接したところに永久磁石の磁極を入れる横向きの槽穴を設置する模式図を示す。
図５０は、本実施形態のシリンダー電機構造の内層構造への応用である。通電巻線１００の磁極１０１が電磁カップリング効果の面の辺縁に横向きの槽穴を設置し、横向きの槽穴は線形、弧形、特定の幾何形状、電磁カップリング効果の面に沿って平行する形状であってよいが、中に相対形状の永久磁石の磁極１０３を設置する。かつ通電巻線１００の励磁された磁極の極性は、励磁や減磁する電機効果を呈する。
【００８３】
上記図４９及び図５０に示した実施形態は、通電巻線１００の永久磁石の磁極１０３の磁極１０１を入れるために、横向きの槽穴を設け、また、ニーズによって磁極１０１の片側或いは両側に磁気伝導性材料或いは非磁気伝導性材料の保護カバーを選択設置し、保護カバーの構成は下記を含む。
（１）保護カバーを設置しない。
【００８４】
（２）或いは、永久磁石の磁極１０３の片側或いは両側に保護カバーを加設し、保護カバーの長さは通電巻線１００の磁極１０１と永久磁石の磁極１０３を併せた長さと同じである。
（３）或いは、ブロック状或いはシート状磁気伝導体によって構成される通電巻線１００の磁極１０１の片側或いは両側に保護カバーを加設することにより、シート状磁気伝導体によって構成される磁極１０１を挟み付け、保護カバーは磁路１０２方向に向かって延伸し、かつ磁路１０２に結合する。
【００８５】
（４）或いは、磁極１０１の厚さより薄い永久磁石の磁極１０３を横向きの槽穴に置き、かつ横向きの槽穴の片端或いは両端に保護カバー或いはスペーサーを詰め込む。
図５１は、本実施形態のシリンダー電機構造の外層構造への応用である。永久磁石の磁極を入れるために、通電巻線の磁極が極面に近接するところに横向きの槽穴を設ける。また、磁極の片側或いは両側に磁極と同じ保護カバーを加設することにより、磁極を挟み付け、及び永久磁石の磁極を覆う実施形態の分解斜視図を示す。
【００８６】
図５１は、本実施形態のシリンダー電機構造の外層構造への応用である。通電巻線１００の磁極１０１が電磁カップリング効果の面の辺縁に近接するところに横向きの槽穴を設け、横向きの槽穴は線形、弧形、特定の幾何形状、電磁カップリング効果の面に沿って平行する形状であってよいが、中に相対形状の永久磁石の磁極１０３を設置する。かつ通電巻線１００の励磁された磁極の極性は、励磁や減磁する電機効果を呈する。また、ニーズによって磁極１０１の片側或いは両側に磁極と同じ保護カバー１０１１を加設することにより、シート状磁気伝導体によって構成される磁極１０１を挟み付け、及び永久磁石の磁極１０３を覆う。加設する保護カバーは、磁気伝導性材料や非磁気伝導性材料によって構成されることが可能である。
【００８７】
図５２は、本実施形態のシリンダー電機構造の内層構造への応用である。永久磁石の磁極を入れるために、通電巻線の磁極が極面に近接するところに横向きの槽穴を設け、また、磁極の片側或いは両側に磁極と同じ保護カバーを加設することにより、磁極を挟み付け、及び永久磁石の磁極を覆う実施形態の分解斜視図を示す。
図５２は、本実施形態のシリンダー電機構造の内層構造への応用である。通電巻線１００の磁極１０１が電磁カップリング効果の面の辺縁に近接するところに横向きの槽穴を設け、横向きの槽穴は線形、弧形、特定の幾何形状、電磁カップリング効果の面に沿って平行する形状であってよいが、中に相対形状の永久磁石の磁極１０３を設置する。かつ通電巻線１００の励磁された磁極の極性は、励磁や減磁する電機効果を呈する。また、ニーズによって磁極１０１の片側或いは両側に磁極と同じ保護カバー１０１１を加設することにより、シート状磁気伝導体によって構成される磁極１０１を挟み付け、及び永久磁石の磁極１０３を覆う。加設する保護カバーは、磁気伝導性材料や非磁気伝導性材料によって構成されることが可能である。
【００８８】
図５３は、図５１に示したシリンダー電機の外層構造である。通電巻線の磁極両端の片側或いは両側に保護カバーを加設することにより、シート状磁気伝導体によって構成される磁極を挟み付け、及び永久磁石の磁極を覆う。保護カバーは磁路方向に向かって延伸し、かつ磁路で結合する実施形態の分解斜視図である。
図５３は、図５１に示したシリンダー電機の外層構造への応用である。シート状磁気伝導体によって構成する通電巻線１００の磁極１０１が電磁カップリング効果の面の辺縁に近接するところに横向きの槽穴を設け、横向きの槽穴は線形、弧形、特定の幾何形状、電磁カップリング効果の面に沿って平行する形状であってよいが、中に相対形状の永久磁石の磁極１０３を設置する。また、ニーズによって磁極１０１の片側或いは両側に磁極と同じ保護カバー１０１１を加設することにより、シート状磁気伝導体によって構成される磁極１０１を挟み付け、及び永久磁石の磁極１０３を覆う。保護カバー１０１１は、磁路１０２方向に向かって延伸し、かつ磁路１０２で結合する。加設する保護カバーは、磁気伝導性材料や非磁気伝導性材料によって構成されることが可能である。
【００８９】
図５４は、図５２に示したシリンダー電機の内層構造である。通電巻線の磁極の片側或いは両側に保護カバーを加設することにより、シート状磁気伝導体によって構成される磁極を挟み付け、及び永久磁石の磁極を覆う。保護カバーは磁路方向に向かって延伸し、かつ磁路で結合する実施形態の分解斜視図である。
図５４は、図５２に示したシリンダー電機の内層構造への応用である。シート状磁気伝導体によって構成する通電巻線１００の磁極１０１が電磁カップリング効果の面の辺縁に近接するところに横向きの槽穴を設け、横向きの槽穴は線形、弧形、特定の幾何形状、電磁カップリング効果の面に沿って平行する形状であってよいが、中に相対形状の永久磁石の磁極１０３を設置する。また、ニーズによって磁極１０１の片側或いは両側に磁極と同じ保護カバー１０１１を加設することにより、シート状磁気伝導体によって構成される磁極１０１を挟み付け、及び永久磁石の磁極１０３を覆う。保護カバー１０１１は磁路１０２方向に向かって延伸し、かつ磁路１０２で結合する。加設する保護カバーは、磁気伝導性材料や非磁気伝導性材料によって構成されることが可能である。
【００９０】
図５５は、図５１に示したシリンダー電機の外層構造である。通電巻線のブロック状構造の磁極が極面に近接するところに横向きの槽穴を設け、中に永久磁石の磁極１０３を設置する。また、磁極両端の片側或いは両側に保護カバーを加設することにより、ブロック状の磁極を挟み付け、及び永久磁石の磁極を覆う。保護カバーは磁路方向に向かって延伸し、かつ磁路で結合する実施形態の分解斜視図である。
【００９１】
図５５は、図５１に示したシリンダー電機の外層構造への応用である。ブロック状構造の通電巻線１００の磁極１０１が電磁カップリング効果の面の辺縁に近接するところに横向きの槽穴を設け、横向きの槽穴は線形、弧形、特定の幾何形状、電磁カップリング効果の面に沿って平行する形状であってよいが、中に相対形状の永久磁石の磁極１０３を設置する。また、ニーズによって磁極１０１の片側或いは両側に保護カバー１０１１を加設することにより、ブロック状の磁極１０１を挟み付け、及び永久磁石の磁極１０３を覆う。保護カバー１０１１は、磁路１０２方向に向かって延伸し、かつ磁路１０２で結合する。加設する保護カバーは、磁気伝導性材料や非磁気伝導性材料によって構成されることが可能である。
【００９２】
図５６は、図５２に示したシリンダー電機の内層構造である。通電巻線のブロック状構造の磁極が極面に近接するところに横向きの槽穴を設け、中に永久磁石の磁極１０３を設置する。また、磁極の片側或いは両側に保護カバーを加設することにより、ブロック状の磁極を挟み付け、及び永久磁石の磁極を覆う。保護カバーは磁路方向に向かって延伸し、かつ磁路で結合する実施形態の分解斜視図である。
【００９３】
図５６は、図５２に示したシリンダー電機の内層構造への応用である。ブロック状構造の通電巻線１００の磁極１０１が電磁カップリング効果の面の辺縁に近接するところに横向きの槽穴を設け、横向きの槽穴は線形、弧形、特定の幾何形状、電磁カップリング効果の面に沿って平行する形状であってよいが、中に相対形状の永久磁石の磁極１０３を設置する。また、ニーズによって磁極１０１の片側或いは両側に保護カバー１０１１を加設することにより、ブロック状の磁極１０１を挟み付け、及び永久磁石の磁極１０３を覆う。保護カバー１０１１は、磁路１０２方向に向かって延伸し、かつ磁路１０２で結合する。加設する保護カバーは、磁気伝導性材料や非磁気伝導性材料によって構成されることが可能である。
【００９４】
図５７は、本実施形態のシリンダー電機構造の外層構造への応用である。シート状磁気伝導体によって構成する磁極が磁路の辺縁に近接するところに永久磁石の磁極を入れる軸向きの凹構造を設置する実施形態の分解斜視図を示す。
図５７は、本実施形態のシリンダー電機の外層構造への応用である。通電巻線１００の磁極１０１が磁路１０２の辺縁に近接するところに、軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。かつ通電巻線１００の励磁された磁極の極性は、励磁や減磁する電機効果を呈する。
【００９５】
図５８は、本実施形態のシリンダー電機構造の内層構造への応用である。シート状磁気伝導体によって構成する磁極が磁路の辺縁に近接するところに永久磁石の磁極を入れる軸向きの凹構造を設置する実施形態の分解斜視図を示す。
図５８は、本実施形態のシリンダー電機の内層構造への応用である。通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。かつ通電巻線１００の励磁された磁極の極性は、励磁や減磁する電機効果を呈する。
【００９６】
図５９は、図５７に示したシリンダー電機の外層構造である。シート状磁気伝導体によって構成する通電巻線の磁極が磁路の辺縁に近接するところに永久磁石の磁極を入れる軸向きの凹構造を設置する。また、磁極の片側或いは両側に保護カバーを加設することにより、シート状磁気伝導体によって構成する磁極を挟み付ける。保護カバーは磁路方向に向かって延伸し、かつ磁路で結合する実施形態の分解斜視図を示す。
【００９７】
図５９は、図５７に示したシリンダー電機の外層構造への応用である。シート状磁気伝導体によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１２を加設することにより、シート状磁気伝導体によって構成される磁極１０１を挟み付ける。保護カバー１０１２は、磁路１０２方向に向かって延伸し、かつ磁路１０２で結合する。
【００９８】
図６０は、図５８に示したシリンダー電機の内層構造である。シート状磁気伝導体によって構成する通電巻線の磁極が磁路の辺縁に近接するところに永久磁石の磁極を入れる軸向きの凹構造を設置する。また、磁極の片側或いは両側に保護カバーを加設することにより、シート状磁気伝導体によって構成する磁極を挟み付ける。保護カバーは磁路方向に向かって延伸し、かつ磁路で結合する実施形態の分解斜視図を示す。
【００９９】
図６０は、図５８に示したシリンダー電機の内層構造への応用である。シート状磁気伝導体によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１２を加設することにより、シート状磁気伝導体によって構成される磁極１０１を挟み付ける。保護カバー１０１２は、磁路１０２方向に向かって延伸し、かつ磁路１０２で結合する。
【０１００】
図６１は、図５７に示したシリンダー電機の外層構造である。ブロック状によって構成する通電巻線の磁極が磁路の辺縁に近接するところに永久磁石の磁極を入れる軸向きの凹構造を設置する。また、ブロック状磁極の片側或いは両側に保護カバーを加設することにより、ブロック状磁極を挟み付ける。保護カバーは磁路方向に向かって延伸し、かつ磁路で結合する実施形態の分解斜視図を示す。
【０１０１】
図６１は、図５７に示したシリンダー電機の外層構造への応用である。ブロック状によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１２を加設することにより、シート状磁気伝導体によって構成される磁極１０１を挟み付ける。保護カバー１０１２は、磁路１０２方向に向かって延伸し、かつ磁路１０２で結合する。
【０１０２】
図６２は、図５８に示したシリンダー電機の内層構造である。ブロック状によって構成する通電巻線の磁極が磁路の辺縁に近接するところに永久磁石の磁極を入れる軸向きの凹構造を設置する。また、ブロック状磁極の片側或いは両側に保護カバーを加設することにより、ブロック状磁極を挟み付ける。保護カバーは磁路方向に向かって延伸し、かつ磁路で結合する実施形態の分解斜視図を示す。
【０１０３】
図６２は、図５８に示したシリンダー電機の内層構造への応用である。ブロック状によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１２を加設することにより、シート状磁気伝導体によって構成される磁極１０１を挟み付ける。保護カバー１０１２は、磁路１０２方向に向かって延伸し、かつ磁路１０２で結合する。
【０１０４】
図６３は、図５７に示したシリンダー電機の外層構造である。全体がブロック状を呈する通電巻線の磁極が磁路の辺縁に近接するところに永久磁石の磁極を入れる軸向きの凹構造を設置する。全体がブロック状を呈する磁極の片側或いは両側は磁路方向に向かって延伸し、かつ保護カバーは磁気伝導性である実施形態の分解斜視図を示す。
図６３は、図５７に示したシリンダー電機の外層構造への応用である。全体がブロック状を呈する通電巻線１００の磁極１０１が磁路１０２の辺縁に近接するところに軸向きの凹構造を設置する。軸向きの凹口の陥凹底面は平面、曲面、特定の幾何形状、電磁カップリング効果の面に沿って平行する形状であって、相対形状の永久磁石の磁極１０３を入れる。全体がブロック状を呈する磁極１０１の片側或いは両側は磁路１０２方向に向かって延伸し、かつ磁路１０２で結合する。また、保護カバー１０１２は永久磁石の磁極１０３の片側或いは両側を形成する。
【０１０５】
図６４は、図５８に示したシリンダー電機の内層構造である。全体がブロック状を呈する通電巻線の磁極が磁路の辺縁に近接するところに永久磁石の磁極を入れる軸向きの凹構造を設置する。全体がブロック状を呈する磁極の片側或いは両側は磁路方向に向かって延伸し、かつ保護カバーは磁気伝導性である実施形態の分解斜視図を示す。
図６４は、図５８に示したシリンダー電機の内層構造への応用である。全体がブロック状を呈する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。全体がブロック状を呈する磁極１０１の片側或いは両側は磁路１０２方向に向かって延伸し、かつ磁路１０２で結合する。また、保護カバー１０１２は永久磁石の磁極１０３の片側或いは両側を形成する。
【０１０６】
図６５は、本実施形態のシリンダー電機の外層構造への応用である。シート状磁気伝導体によって構成する通電巻線の磁極が磁路の辺縁に近接するところに永久磁石の磁極を入れる軸向きの凹構造を設置する。また、磁極の片側或いは両側に保護カバーを加設することにより、シート状磁気伝導体によって構成する磁極を挟み付け、及び永久磁石の磁極を取り囲む実施形態の分解斜視図を示す。
【０１０７】
図６５は、本実施形態のシリンダー電機の外層構造への応用である。シート状磁気伝導体によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。かつ通電巻線１００の励磁された磁極の極性は、励磁や減磁する電機効果を呈する。また、ニーズによって磁極１０１の片側或いは両側に保護カバー１０１３を加設することにより、シート状磁気伝導体によって構成する磁極１０１を挟み付け、及び永久磁石の磁極１０３を取り囲む。加設する保護カバーは、磁気伝導性材料や非磁気伝導性材料によって構成されることが可能である。
【０１０８】
図６６は、本実施形態のシリンダー電機の内層構造への応用である。シート状磁気伝導体によって構成する通電巻線の磁極が磁路の辺縁に近接するところに永久磁石の磁極を入れる軸向きの凹構造を設置する。また、磁極の片側或いは両側に保護カバーを加設することにより、シート状磁気伝導体によって構成する磁極を挟み付け、及び永久磁石の磁極を取り囲む実施形態の分解斜視図を示す。
【０１０９】
図６６は、本実施形態のシリンダー電機の内層構造への応用である。シート状磁気伝導体によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。かつ通電巻線１００の励磁された磁極の極性は、励磁や減磁する電機効果を呈する。また、ニーズによって磁極１０１の片側或いは両側に保護カバー１０１３を加設することにより、シート状磁気伝導体によって構成する磁極１０１を挟み付け、及び永久磁石の磁極１０３を取り囲む。加設する保護カバーは、磁気伝導性材料や非磁気伝導性材料によって構成されることが可能である。
【０１１０】
図６７は、図６５に示したシリンダー電機の外層構造である。通電巻線の磁極の片側或いは両側に保護カバーを設置し、保護カバーはシート状磁気伝導体によって構成する磁極を挟み付け、及び永久磁石の磁極を取り囲む。保護カバーは磁路方向に向かって延伸し、かつ磁路で結合する実施形態の分解斜視図を示す。
図６７は、図６５に示したシリンダー電機の外層構造への応用である。シート状磁気伝導体によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１３を加設することにより、シート状磁気伝導体によって構成される磁極１０１を挟み付け、及び永久磁石の磁極１０３を取り囲む。保護カバー１０１３は、磁路１０２方向に向かって延伸し、かつ磁路１０２で結合する。加設する保護カバーは、磁気伝導性材料や非磁気伝導性材料によって構成されることが可能である。
【０１１１】
図６８は、図６６に示したシリンダー電機の内層構造である。通電巻線の磁極の片側或いは両側に保護カバーを設置し、保護カバーはシート状磁気伝導体によって構成する磁極を挟み付け、及び永久磁石の磁極を取り囲む。保護カバーは磁路方向に向かって延伸し、かつ磁路で結合する実施形態の分解斜視図を示す。
図６８は、図６６に示したシリンダー電機の内層構造への応用である。シート状磁気伝導体によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１３を加設することにより、シート状磁気伝導体によって構成される磁極１０１を挟み付け、及び永久磁石の磁極１０３を取り囲む。保護カバー１０１３は、磁路１０２方向に向かって延伸し、かつ磁路１０２で結合する。加設する保護カバーは、磁気伝導性材料や非磁気伝導性材料によって構成されることが可能である。
【０１１２】
図６９は、図６５に示したシリンダー電機の外層構造である。ブロック状によって構成する通電巻線の磁極が磁路の辺縁に近接するところに永久磁石の磁極を入れる軸向きの凹構造を設置する。また、磁極の片側或いは両側に保護カバーを設置することにより、ブロック状磁極を挟み付け、及び永久磁石の磁極を取り囲む。保護カバーは磁路方向に向かって延伸し、かつ磁路で結合する実施形態の分解斜視図を示す。
【０１１３】
図６９は、図６５に示したシリンダー電機の外層構造への応用である。ブロック状によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１３を加設することにより、ブロック状磁極１０１を挟み付け、及び永久磁石の磁極１０３を取り囲む。保護カバー１０１３は、磁路１０２方向に向かって延伸し、かつ磁路１０２で結合する。加設する保護カバーは、磁気伝導性材料や非磁気伝導性材料によって構成されることが可能である。
【０１１４】
図７０は、図６６に示したシリンダー電機の内層構造である。ブロック状によって構成する通電巻線の磁極が磁路の辺縁に近接するところに永久磁石の磁極を入れる軸向きの凹構造を設置する。また、磁極の片側或いは両側に保護カバーを設置することにより、ブロック状磁極を挟み付け、及び永久磁石の磁極を取り囲む。保護カバーは磁路方向に向かって延伸し、かつ磁路で結合する実施形態の分解斜視図を示す。
【０１１５】
図７０は、図６６に示したシリンダー電機の内層構造への応用である。ブロック状によって構成する通電巻線１００の磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側に保護カバー１０１３を加設することにより、ブロック状磁極１０１を挟み付け、及び永久磁石の磁極１０３を取り囲む。保護カバー１０１３は、磁路１０２方向に向かって延伸し、かつ磁路１０２で結合する。加設する保護カバーは、磁気伝導性材料や非磁気伝導性材料によって構成されることが可能である。
【０１１６】
図７１は、図６５に示したシリンダー電機の外層構造である。全体がブロック状を呈する通電巻線の磁極が磁路に近接する一面に永久磁石の磁極を入れる凹入部を設置する。全体がブロック状を呈する磁極の片側或いは両側にある保護カバーは磁路方向に向かって延伸し、かつ磁路で結合する実施形態の分解斜視図を示す。
図７１は、図６５に示したシリンダー電機の外層構造への応用である。全体がブロック状を呈する通電巻線１００の磁極１０１が磁路１０２の一面に永久磁石の磁極を入れる凹入部を設置する。全体がブロック状を呈する磁極１０１の片側或いは両側にある保護カバー１０１３は磁路１０２方向に向かって延伸し、かつ保護カバー１０１３は磁路１０２で結合する。
【０１１７】
図７２は、図６６に示したシリンダー電機の内層構造である。全体がブロック状を呈する通電巻線の磁極が磁路に近接する一面に永久磁石の磁極を入れる凹入部を設置する。全体がブロック状を呈する磁極の片側或いは両側にある保護カバーは磁路方向に向かって延伸し、かつ磁路で結合する実施形態の分解斜視図を示す。
図７２は、図６６に示したシリンダー電機の内層構造への応用である。全体がブロック状を呈する通電巻線１００の磁極１０１が磁路１０２の一面に永久磁石の磁極を入れる凹入部を設置する。全体がブロック状を呈する磁極１０１の片側或いは両側にある保護カバー１０１３は磁路１０２方向に向かって延伸し、かつ保護カバー１０１３は磁路１０２で結合する。
【０１１８】
図７３は、本実施形態のシリンダー電機の外層構造への応用である。シート状磁気伝導体によって構成する通電巻線の磁極と磁路との間に永久磁石の磁極を挟み付ける。また、永久磁石の磁極の片側或いは両側に磁気伝導性保護カバーを設置する実施形態を示す。
図７３は、本実施形態のシリンダー電機の外層構造への応用である。シート状磁気伝導体によって構成する通電巻線１００の磁極１０１と磁路１０２との間に選択した幾何形状の永久磁石の磁極１０３を入れる。かつ通電巻線１００の励磁された磁極の極性は、励磁や減磁する電機効果を呈する。更に磁極１０１の片側或いは両側に保護カバー１０１４を加設し、保護カバー１０１４の長さは少なくとも永久磁石の磁極１０３にある二つの異極性の磁極の間をカバーし、また、磁極１０１と永久磁石の磁極１０３を併せた長さと同じである。加設する保護カバーは、磁気伝導性材料によって構成される。
【０１１９】
図７４は、本実施形態のシリンダー電機の内層構造への応用である。シート状磁気伝導体によって構成する通電巻線の磁極と磁路との間に永久磁石の磁極を挟み付ける。また、永久磁石の磁極の片側或いは両側に磁気伝導性保護カバーを設置する実施形態を示す。
図７４は、本実施形態のシリンダー電機の内層構造への応用である。シート状磁気伝導体によって構成する通電巻線１００の磁極１０１と磁路１０２との間に選択した幾何形状の永久磁石の磁極１０３を入れる。かつ通電巻線１００の励磁された磁極の極性は、励磁や減磁する電機効果を呈する。更に磁極１０１の片側或いは両側に保護カバー１０１４を加設し、保護カバー１０１４の長さは少なくとも永久磁石の磁極１０３にある二つの異極性の磁極の間をカバーし、また、磁極１０１と永久磁石の磁極１０３を併せた長さと同じである。加設する保護カバーは、磁気伝導性材料によって構成される。
【０１２０】
図７５は、図７３に示したシリンダー電機の外層構造である。シート状磁気伝導体によって構成する通電巻線の磁極と磁路との間に永久磁石の磁極を挟み付ける。更に永久磁石の磁極の片側或いは両側に磁気伝導性の保護カバーを加設し、シート状磁気伝導体によって構成される磁極を挟み付け、保護カバーは磁路方向に向かって延伸し、かつ保護カバーは磁路で結合する実施形態の分解斜視図を示す。
【０１２１】
図７５は、図７３に示したシリンダー電機の外層構造への応用である。シート状磁気伝導体によって構成する通電巻線１００の磁極１０１と磁路１０２との間に選択した幾何形状の永久磁石の磁極１０３を入れる。更に磁極１０１の片側或いは両側に保護カバー１０１４を加設し、シート状磁気伝導体によって構成される磁極１０１を挟み付ける。保護カバー１０１４の長さは、少なくとも永久磁石の磁極１０３にある二つの異極性の磁極の間をカバーし、また、磁極１０１と永久磁石の磁極１０３を併せた長さと同じである。更に磁路方向に向かって延伸し、かつ保護カバーは磁路１０２で結合する。加設する保護カバーは、磁気伝導性材料によって構成される。
【０１２２】
図７６は、図７４に示したシリンダー電機の内層構造である。シート状磁気伝導体によって構成する通電巻線の磁極と磁路との間に永久磁石の磁極を挟み付ける。更に永久磁石の磁極の片側或いは両側に磁気伝導性保護カバーを加設し、シート状磁気伝導体によって構成される磁極を挟み付け、保護カバーは磁路方向に向かって延伸し、かつ保護カバーは磁路で結合する実施形態の分解斜視図を示す。
【０１２３】
図７６は、図７４に示したシリンダー電機の内層構造への応用である。シート状磁気伝導体によって構成する通電巻線１００の磁極１０１と磁路１０２との間に選択した幾何形状の永久磁石の磁極１０３を入れる。更に磁極１０１の片側或いは両側に保護カバー１０１４を加設し、シート状磁気伝導体によって構成される磁極１０１を挟み付ける。保護カバー１０１４の長さは、少なくとも永久磁石の磁極１０３にある二つの異極性の磁極の間をカバーし、また、磁極１０１と永久磁石の磁極１０３を併せた長さと同じである。更に磁路方向に向かって延伸し、かつ保護カバーは磁路１０２で結合する。加設する保護カバーは、磁気伝導性材料によって構成される。
【０１２４】
図７７は、図７３に示したシリンダー電機の外層構造である。ブロック状構造によって構成する通電巻線の磁極と磁路との間に永久磁石の磁極を挟み付け、また、永久磁石の磁極の片側或いは両側に磁気伝導性の保護カバーを加設することにより、ブロック状磁極を挟み付け、保護カバーは磁路方向に向かって延伸し、かつ磁路に結合する実施形態を示す。
図７７は、図７３に示したシリンダー電機の外層構造である。ブロック状構造によって構成する通電巻線１００の磁極１０１と磁路１０２との間に永久磁石の磁極１０３を挟み付ける。また、磁極１０１の片側或いは両側に保護カバー１０１４を加設することにより、ブロック状磁極１０１を挟み付ける。保護カバー１０１４の長さは、少なくとも永久磁石の磁極１０３にある二つの異極性の磁極の間をカバーし、かつ磁極１０１と永久磁石の磁極１０３を併せた長さと同じである。更に磁路１０２方向に向かって延伸し、かつ保護カバーは磁路１０２で結合する。加設する保護カバーは、磁気伝導性材料によって構成される。
【０１２５】
図７８は、図７７に示したシリンダー電機の内層構造である。ブロック状構造によって構成する通電巻線の磁極と磁路との間に永久磁石の磁極を挟み付け、また、永久磁石の磁極の片側或いは両側に磁気伝導性保護カバーを加設することにより、ブロック状磁極を挟み付け、保護カバーは磁路方向に向かって延伸し、かつ磁路に結合する実施形態を示す。
図７８は、図７７に示したシリンダー電機の内層構造である。ブロック状構造によって構成する通電巻線１００の磁極１０１と磁路１０２との間に永久磁石の磁極１０３を挟み付ける。また、磁極１０１の片側或いは両側に保護カバー１０１４を加設することにより、ブロック状磁極１０１を挟み付ける。保護カバー１０１４の長さは、少なくとも永久磁石の磁極１０３にある二つの異極性の磁極の間をカバーし、かつ磁極１０１と永久磁石の磁極１０３を併せた長さと同じである。更に磁路１０２方向に向かって延伸し、かつ保護カバーは磁路１０２で結合する。加設する保護カバーは、磁気伝導性材料によって構成される。
【０１２６】
図７９は、図７３に示したシリンダー電機の外層構造である。全体がブロック状を呈する通電巻線の磁極と磁路との間に永久磁石の磁極を挟み付け、また、全体がブロック状を呈する磁極の片側或いは両側から磁路方向に向かって延伸することにより、磁気伝導性保護カバーとする実施形態の分解斜視図を示す。
図７９は、図７３に示したシリンダー電機の外層構造への応用である。全体がブロック状を呈する通電巻線１００の磁極１０１と磁路１０２との間にニーズによって選択した幾何形状の永久磁石の磁極１０３を入れる。また、全体がブロック状を呈する磁極１０１の片側或いは両側から磁路１０２方向に向かって延伸し、更に永久磁石の磁極１０３の片側或いは両側に保護カバー１０１４を構成し、かつ保護カバー１０１４は磁路１０２で結合する。
【０１２７】
図８０は、図７４に示したシリンダー電機の内層構造である。通電巻線の磁極と磁路との間に永久磁石の磁極を挟み付け、また、全体がブロック状を呈する磁極の片側或いは両側に磁路方向に向かって延伸することにより、磁気伝導性保護カバーとする実施形態の分解斜視図を示す。
図８０は、図７４に示したシリンダー電機の内層構造への応用である。通電巻線１００の磁極１０１と磁路１０２との間にニーズによって選択した幾何形状の永久磁石の磁極１０３を入れる。また、全体がブロック状を呈する磁極１０１の片側或いは両側に磁路１０２方向に向かって延伸し、更に永久磁石の磁極１０３の片側或いは両側に保護カバー１０１４を構成し、かつ保護カバー１０１４は磁路１０２で結合する。
【０１２８】
本実施形態の通電巻線に励磁される磁極によって永久磁石の磁極を覆う電機は、更に磁極が電磁カップリング効果の面に近接する極軸の片側に少なくとも一個の横向きの槽穴を設ける。横向きの槽穴は、線形、弧形、特定の幾何形状、電磁カップリング効果の面に沿って平行する形状であってよいが、中に相対数量と相対形状の永久磁石の磁極を設置する。磁極の横向きの槽穴によって覆われる永久磁石の磁極と磁極の極軸に電機の角度差を設けることによって、通電巻線１００に励磁される通電巻線の磁極の極性は励磁や減磁する電機効果を呈し、及び必要な磁場の磁力線を分布する。
【０１２９】
図８１は、本実施形態のシリンダー電機の外層構造である。磁極が電磁カップリング効果の面に近接する極軸の片側に少なくとも一個の横向きの槽穴を設ける。横向きの槽穴の位置と磁極の極軸に電機の角度差を設けることによって、相対数量と相対形状を覆う永久磁石の磁極が必要な磁場の磁力線を分布する実施形態の分解斜視図を示す。
図８１は、本実施形態のシリンダー電機の外層構造への応用である。磁極１０１が電磁カップリング効果の面に近接する極軸の片側に少なくとも一個の横向きの槽穴を設ける。横向きの槽穴は、線形、弧形、特定の幾何形状、電磁カップリング効果の面に沿って平行する形状であってよいが、中に相対数量と相対形状の永久磁石の磁極１０３を設置する。磁極の横向きの槽穴によって覆われる永久磁石の磁極１０３と磁極１０１の極軸に電機の角度差を設けることによって、通電巻線１００に励磁される通電巻線の磁極の極性は必要な励磁や減磁する電機効果を呈し、及び必要な磁場の磁力線を分布する。
【０１３０】
図８２は、本実施形態のシリンダー電機の内層構造である。磁極が電磁カップリング効果の面に近接する極軸の片側に少なくとも一個の横向きの槽穴を設け、横向きの槽穴の位置と磁極の極軸に電機の角度差を設けることによって、相対数量と相対形状を覆う永久磁石の磁極が必要な磁場の磁力線を分布する実施形態の分解斜視図を示す。
図８２は、本実施形態のシリンダー電機の内層構造への応用である。磁極１０１が電磁カップリング効果の面に近接する極軸の片側に少なくとも一個の横向きの槽穴を設け、横向きの槽穴は線形、弧形、特定の幾何形状、電磁カップリング効果の面に沿って平行する形状であってよいが、中に相対数量と相対形状の永久磁石の磁極１０３を設置する。磁極の横向きの槽穴によって覆われる永久磁石の磁極１０３と磁極１０１の極軸に電機の角度差を設けることによって、通電巻線１００に励磁される通電巻線の磁極の極性は必要な励磁や減磁する電機効果を呈し、及び必要な磁場の磁力線を分布する。
【０１３１】
上記図８１及び図８２に示した実施形態は、通電巻線１００に励磁される通電巻線の磁極１０１が電磁カップリング効果の面に近接する極軸の片側に少なくとも一個の横向きの槽穴を設置する。横向きの槽穴は、線形、弧形、特定の幾何形状、電磁カップリング効果の面に沿って平行する形状であってよいが、中に相対数量と相対形状の永久磁石の磁極を設置する。磁極の横向きの槽穴によって取り囲まれる永久磁石の磁極と磁極の極軸に電機の角度差を設けることによって、必要な磁場の磁力線の分布状態のような特定構造を形成し、同じ原理によって、ディスク電機やリニア電機への設置も可能である。更にニーズによって選択した磁極１０１の片側或いは両側に磁気伝導性材料或いは非磁気伝導性材料で保護カバーを選択設置し、保護カバーの構成は下記を含む。
【０１３２】
（１）保護カバーを設置しない。
（２）或いは、永久磁石の磁極１０３の片側或いは両側に保護カバーを加設し、保護カバーの長さは通電巻線１００の磁極１０１と永久磁石の磁極１０３を併せた長さと同じである。
（３）或いは、ブロック状或いはシート状磁気伝導体によって構成される通電巻線１００の磁極１０１の片側或いは両側に保護カバーを加設することにより、シート状磁気伝導体によって構成される磁極１０１を挟み付け、保護カバーは磁路１０２方向に向かって延伸し、かつ磁路１０２に結合する。
【０１３３】
（４）或いは、磁極１０１の厚さより薄い永久磁石の磁極１０３を横向きの槽穴に置き、かつ横向きの槽穴の片端或いは両端に保護カバー或いはスペーサーを詰め込む。
本実施形態の通電巻線に励磁される磁極によって永久磁石の磁極を覆う電機は、更に通電巻線１００に励磁される磁極が電磁カップリング効果の面にある近接する極軸の両側に少なくとも一個の横向きの槽穴を設け、横向きの槽穴は線形、弧形、特定の幾何形状、電磁カップリング効果の面に沿って平行する形状であってよい。横向きの槽穴の位置と磁極の極軸と電機の角度差を設け、相対数量と相対形状の二個や二個以上の永久磁石の磁極を覆うことによって、通電巻線１００に励磁される通電巻線の磁極の極性は励磁や減磁する電機効果を呈し、及び必要な磁場の磁力線を分布する。
【０１３４】
図８３は、本実施形態のシリンダー電機の外層構造である。通電巻線に励磁される磁極が電磁カップリング効果の面にある近接する極軸の両側に少なくとも一個の横向きの槽穴を設け、横向きの槽穴の位置と磁極の極軸に電機の角度差を設け、相対数量と相対形状の二個や二個以上の永久磁石の磁極を覆うことによって、通電巻線に励磁される磁極の極性は励磁や減磁する電機効果を呈し、及び必要な磁場の磁力線を分布する実施形態の分解斜視図を示す。
【０１３５】
図８３は、本実施形態のシリンダー電機の外層構造である。ブロック状やシート状磁気伝導体によって構成する通電巻線１００に励磁される磁極１０１が電磁カップリング効果の面にある近接する極軸の両側に少なくとも一個の横向きの槽穴を設け、横向きの槽穴は線形、弧形、特定の幾何形状、電磁カップリング効果の面に沿って平行する形状であってよい。横向きの槽穴の位置と磁極１０１の極軸に電機の角度差を設け、相対数量と相対形状の二個や二個以上の永久磁石の磁極１０３を覆うことによって、通電巻線１００に励磁される磁極１０１の極性は励磁や減磁する電機効果を呈し、及び必要な磁場の磁力線を分布する。
【０１３６】
図８４は、本実施形態のシリンダー電機の内層構造である。通電巻線に励磁される磁極が電磁カップリング効果の面にある近接する極軸の両側に少なくとも一個の横向きの槽穴を設ける。横向きの槽穴の位置と磁極の極軸に電機の角度差を設け、相対数量と相対形状の二個や二個以上の永久磁石の磁極を覆うことによって、通電巻線に励磁される磁極の極性は励磁や減磁する電機効果を呈し、及び必要な磁場の磁力線を分布する実施形態の分解斜視図を示す。
【０１３７】
図８４は、本実施形態のシリンダー電機の内層構造である。ブロック状やシート状磁気伝導体によって構成する通電巻線１００に励磁される磁極１０１が電磁カップリング効果の面にある近接する極軸の両側に少なくとも一個の横向きの槽穴を設け、横向きの槽穴は線形、弧形、特定の幾何形状、電磁カップリング効果の面に沿って平行する形状であってよい。横向きの槽穴の位置と磁極１０１の極軸に電機の角度差を設け、相対数量と相対形状の二個や二個以上の永久磁石の磁極１０３を覆うことによって、通電巻線１００に励磁される磁極１０１の極性は励磁や減磁する電機効果を呈し、及び必要な磁場の磁力線を分布する。
【０１３８】
上記の図８３及び図８４に示す実施形態は、ブロック状やシート状磁気伝導体によって構成する通電巻線１００に励磁される磁極１０１が電磁カップリング効果の面に近接する極軸の両側に各側に少なくとも一個の横向きの槽穴を設置することにより、二個や二個以上の磁極１０１の極軸と電機の角度差をなす永久磁石の磁極１０３を覆うことによって、通電巻線１００に励磁される磁極１０１の極性は励磁や減磁する電機効果を呈し、及び必要な磁場の磁力線の分布状態になる。同じ原理によって、ディスク電機やリニア電機の磁極１０１への設置も可能である。更にニーズによって磁極１０１の片側或いは両側に磁気伝導性材料或いは非磁気伝導性材料で作る保護カバーを選択設置し、保護カバーの構成は下記を含む。
【０１３９】
（１）保護カバーを設置しない。
（２）或いは、永久磁石の磁極１０３の片側或いは両側に保護カバーを加設し、保護カバーの長さは通電巻線１００の磁極１０１と永久磁石の磁極１０３を併せた長さと同じである。
（３）或いは、ブロック状或いはシート状磁気伝導体によって構成される通電巻線１００の磁極１０１の片側或いは両側に保護カバーを加設することにより、シート状磁気伝導体によって構成される磁極１０１を挟み付け、保護カバーは磁路１０２方向に向かって延伸し、かつ磁路１０２に結合する。
【０１４０】
（４）或いは、磁極１０１の厚さより薄い永久磁石の磁極１０３を横向きの槽穴に置き、かつ横向きの槽穴の片端或いは両端に保護カバー或いはスペーサーを詰め込む。
上記の図４９から図８４に示す実施形態は、電機の内層構造、電機の外層構造を持つシリンダー電機構造の全ての永久磁石の磁極１０３を覆う構造へ応用し、同様に同軸三リング電機構造、二層式ディスク電機、同軸三層式ディスク電機、二層式リニア電機、三層式リニア電機構造への応用も可能であって、かつ加設する保護カバーの方式及び磁気伝導材料の選択も上記の図４９から図８４に示す通りである。
【０１４１】
上記をまとめると、本実施形態の通電巻線に励磁される磁極によって永久磁石の磁極を覆う電機は、通電巻線に励磁される磁極１０１と磁路１０２との間に励磁される永久磁石の磁極１０３を覆うことを通して、励磁電流の減少を防ぐ。伝統的な永久磁石の磁極を極面に貼り付ける方式と比べると、永久磁石の磁極が脱落し、及び永久磁石の磁極が作動中に、逆方向励磁により磁力が弱くなることを防止することを特徴とする。
【符号の説明】
【０１４２】
１１：シリンダー電機の内層構造、１２：シリンダー電機の外層構造、２１：同軸三リング電機の内リング構造、２２：同軸三リング電機の中リング構造、２３：同軸三リング電機の外リング構造、３１：同軸二層式ディスク電機の内層構造、３２：同軸二層式ディスク電機の外層構造、４１：同軸三層式ディスク電機の内層構造、４２：同軸三層式ディスク電機の中層構造、４３：同軸三層式ディスク電機の外層構造、５１：二層式リニア電機の内層構造、５２：二層式リニア電機の外層構造、６１：三層式リニア電機の内層構造、６２：三層式リニア電機の中層構造、６３：三層式リニア電機の外層構造、１００：通電巻線、１０１：磁極（ヨーク）、１０２：磁路、１０３：永久磁石の磁極（永久磁石）、１０１１：保護カバー、１０１２：保護カバー、１０１３：保護カバー、１０１４：保護カバー
【図１】
0005801990.tif 000002
【図２】
0005801990.tif 000003
【図３】
0005801990.tif 000004
【図４】
0005801990.tif 000005
【図５】
0005801990.tif 000006
【図６】
0005801990.tif 000007
【図７】
0005801990.tif 000008
【図８】
0005801990.tif 000009
【図９】
0005801990.tif 000010
【図１０】
0005801990.tif 000011
【図１１】
0005801990.tif 000012
【図１２】
0005801990.tif 000013
【図１３】
0005801990.tif 000014
【図１４】
0005801990.tif 000015
【図１５】
0005801990.tif 000016
【図１６】
0005801990.tif 000017
【図１７】
0005801990.tif 000018
【図１８】
0005801990.tif 000019
【図１９】
0005801990.tif 000020
【図２０】
0005801990.tif 000021
【図２１】
0005801990.tif 000022
【図２２】
0005801990.tif 000023
【図２３】
0005801990.tif 000024
【図２４】
0005801990.tif 000025
【図２５】
0005801990.tif 000026
【図２６】
0005801990.tif 000027
【図２７】
0005801990.tif 000028
【図２８】
0005801990.tif 000029
【図２９】
0005801990.tif 000030
【図３０】
0005801990.tif 000031
【図３１】
0005801990.tif 000032
【図３２】
0005801990.tif 000033
【図３３】
0005801990.tif 000034
【図３４】
0005801990.tif 000035
【図３５】
0005801990.tif 000036
【図３６】
0005801990.tif 000037
【図３７】
0005801990.tif 000038
【図３８】
0005801990.tif 000039
【図３９】
0005801990.tif 000040
【図４０】
0005801990.tif 000041
【図４１】
0005801990.tif 000042
【図４２】
0005801990.tif 000043
【図４３】
0005801990.tif 000044
【図４４】
0005801990.tif 000045
【図４５】
0005801990.tif 000046
【図４６】
0005801990.tif 000047
【図４７】
0005801990.tif 000048
【図４８】
0005801990.tif 000049
【図４９】
0005801990.tif 000050
【図５０】
0005801990.tif 000051
【図５１】
0005801990.tif 000052
【図５２】
0005801990.tif 000053
【図５３】
0005801990.tif 000054
【図５４】
0005801990.tif 000055
【図５５】
0005801990.tif 000056
【図５６】
0005801990.tif 000057
【図５７】
0005801990.tif 000058
【図５８】
0005801990.tif 000059
【図５９】
0005801990.tif 000060
【図６０】
0005801990.tif 000061
【図６１】
0005801990.tif 000062
【図６２】
0005801990.tif 000063
【図６３】
0005801990.tif 000064
【図６４】
0005801990.tif 000065
【図６５】
0005801990.tif 000066
【図６６】
0005801990.tif 000067
【図６７】
0005801990.tif 000068
【図６８】
0005801990.tif 000069
【図６９】
0005801990.tif 000070
【図７０】
0005801990.tif 000071
【図７１】
0005801990.tif 000072
【図７２】
0005801990.tif 000073
【図７３】
0005801990.tif 000074
【図７４】
0005801990.tif 000075
【図７５】
0005801990.tif 000076
【図７６】
0005801990.tif 000077
【図７７】
0005801990.tif 000078
【図７８】
0005801990.tif 000079
【図７９】
0005801990.tif 000080
【図８０】
0005801990.tif 000081
【図８１】
0005801990.tif 000082
【図８２】
0005801990.tif 000083
【図８３】
0005801990.tif 000084
【図８４】
0005801990.tif 000085